(57)【要約】【課題】  事業者にもサイト管理者にも負担が少なく、顧客に魅力的なビジネス促進システムを提供する。【解決手段】  懸賞提供情報による集客を利用する事業者端末１０と、その懸賞提供情報を利用する顧客端末３０と、リンクの管理サーバ２０とを含むコンピュータシステムにより、取引を促進する懸賞提供情報を利用したビジネス促進システムであって、管理サーバ２０は、事業者端末１０から提供される懸賞提供情報を受信し、登録する懸賞提供情報登録処理手段Ｍ１１と、懸賞提供情報を受取った後、顧客端末３０からの懸賞希望問合せに応じる懸賞受付窓口サイトを、事業者のサイトへリンク設定するリンク設定管理処理手段Ｍ１２と、リンク設定後、管理サーバ２０が予め設定された条件に基づき事業者端末１０へのリンク設定解除予告をし、リンク設定解除を通知し、事業者のサイトへのリンク設定解除を行うリンク管理処理手段Ｍ１３とを備える。【選択図】        図１
2006185180.tif 000002
【特許請求の範囲】
【請求項１】
懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、
前記管理サーバは、
前記事業者端末からの事業者の提供する懸賞提供情報を受信し、登録する懸賞提供情報登録処理手段と、
前記懸賞提供情報を受取った後、前記顧客端末からの懸賞希望問合せに応じる懸賞受付窓口サイトを、前記事業者のサイトへリンク設定するリンク設定管理処理手段と、
前記リンク設定後、前記管理サーバが予め設定された条件に基づき前記事業者端末への前記リンク設定解除予告をし、リンク設定解除を通知し、前記事業者のサイトへのリンク設定解除を行うリンク管理処理手段と、
を有することを特徴とする懸賞提供情報を利用したビジネス促進システム。
【請求項２】
前記事業者のサイトへのリンク設定解除後または設定期間ごとに、前記管理サーバが、前記事業者端末に対して、前記事業者のサイト内での顧客端末からのサービス利用成果に応じた前記リンクの管理サーバへの利用料の支払い請求を行う料金管理処理手段
を含むことを特徴とする請求項１に記載の懸賞提供情報を利用したビジネス促進システム。
【請求項３】
懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、
前記事業者端末からの事業者の提供する懸賞提供情報がリンクの管理サーバに対して入力されるステップと、
前記リンクの管理サーバが、前記懸賞提供情報を受取った後、前記顧客端末からの懸賞希望者問合せに応じる懸賞受付窓口サイトを、事業者のサイトへリンク設定するステップと、
前記リンク設定後、前記管理サーバが予め設定された条件に基づき前記事業者端末へのリンク設定解除予告をし、リンク設定解除を通知し、前記事業者のサイトへのリンク設定解除を行うステップと
を有することを特徴とする懸賞提供情報を利用したビジネス促進方法。
【請求項４】
前記事業者のサイトへのリンク設定解除後または設定期間ごとに、前記管理サーバが、前記事業者端末に対して、前記事業者サイト内での顧客端末からのサービス利用成果に応じた前記リンクの管理サーバへの利用料の支払い請求を行うステップ
を含むことを特徴とする請求項３に記載の懸賞提供情報を利用したビジネス促進方法。
【請求項５】
懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、
前記管理サーバは、
前記懸賞提供情報を予め登録してある他の事業者サイトからの懸賞購入を処理する懸賞購入管理処理手段と、
購入された前記懸賞提供情報を登録する懸賞提供情報登録処理手段と、
前記懸賞提供情報を受取った後、前記顧客端末からの懸賞希望者問合せに応じる懸賞受付窓口サイトを前記事業者のサイトへリンク設定するリンク設定管理処理手段と、
前記リンク設定後、前記管理サーバが予め設定された条件に基づき前記事業者端末への前記リンク設定解除予告をし、リンク設定解除を通知し、前記事業者のサイトへのリンク設定解除を行うリンク管理処理手段と、
を有することを特徴とする懸賞提供情報を利用したビジネス促進システム。
【請求項６】
前記事業者のサイトへのリンク設定解除後または設定期間ごとに、前記管理サーバが、前記事業者端末に対して、前記他の事業者への懸賞購入代金の支払い請求と、及び／又は、前記事業者サイト内での顧客端末からのサービス利用成果に応じた前記リンクの管理サーバへの利用料の支払い請求を行う料金管理処理手段
を含むことを特徴とする請求項５に記載の懸賞提供情報を利用したビジネス促進システム。
【請求項７】
懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、
予め登録してある他の事業者サイトから購入される懸賞の懸賞提供情報を前記リンクの管理サーバが受信するステップと、
前記リンクの管理サーバが前記懸賞提供情報を受取った後、前記顧客端末からの懸賞希望者問合せに応じる懸賞受付窓口サイトを前記事業者のサイトへリンク設定するステップと、
前記リンク設定後、前記管理サーバが予め設定された条件に基づき前記事業者端末へのリンク設定解除予告をし、リンク設定解除を通知し、前記事業者のサイトへのリンク設定解除を行うステップと
を有することを特徴とする懸賞提供情報を利用したビジネス促進方法。
【請求項８】
前記事業者のサイトへのリンク設定解除後または設定期間ごとに、前記管理サーバが、前記事業者端末に対して、前記他の事業者への懸賞購入代金の支払い請求と、及び／又は、前記事業者サイト内での顧客端末からのサービス利用成果に応じた前記リンクの管理サーバへの利用料の支払い請求を行うステップ
を含むことを特徴とする請求項７に記載の懸賞提供情報を利用したビジネス促進方法。
【請求項９】
懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、
前記管理サーバは、
事業者端末からの利用基本料金を含む、利用申込を受信し、登録する利用料登録処理手段と、
前記申込利用料の予算内において、前記顧客端末からの希望商品リクエストに基づき登録事業者サイト内にある懸賞を選定・購入し、懸賞提供情報として記憶する懸賞購入管理処理手段と、
購入された前記懸賞提供情報を受信し、登録する懸賞提供情報登録処理手段と、
前記懸賞提供情報を受取った後、前記顧客端末からの懸賞希望者問合せに応じる懸賞受付窓口サイトを、前記事業者のサイトへリンク設定するリンク設定管理処理手段と、
前記リンク設定後、前記管理サーバが、予め設定された条件に基づき前記事業者端末への前記リンク設定解除予告をし、リンク設定解除を通知し、前記事業者のサイトへのリンク設定解除を行うリンク管理処理手段と、
を有することを特徴とする懸賞提供情報を利用したビジネス促進システム。
【請求項１０】
前記管理サーバが、
前記事業者のサイトへのリンク設定解除後または設定期間ごとに、前記事業者端末に対して懸賞購入先の登録事業者への懸賞購入代金の支払指示信号を出す、及び／又は、事業者のサイト内での前記顧客端末からのサービス利用成果に応じた前記リンク管理サーバへの利用料の支払い請求を行う料金管理処理手段と、
を有することを特徴とする請求項９に記載の懸賞提供情報を利用したビジネス促進システム。
【請求項１１】
懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、
事業者端末からの利用基本料金を含む、利用申込を前記管理サーバが受信するステップと、
前記利用申込情報を受信後、前記管理サーバが、申込利用料の予算内において、前記顧客端末からの希望商品リクエストに基づき登録事業者サイト内にある懸賞を選定・購入し、懸賞提供情報として記憶するステップと、
前記購入された前記懸賞提供情報を登録するステップと、
前記リンクの管理サーバが前記顧客端末からの懸賞希望者問合せに応じる懸賞受付窓口サイトを、前記事業者のサイトへリンク設定するステップと、
前記管理サーバが前記リンク設定後、予め設定された条件に基づき前記事業者端末への前記リンク設定解除予告をし、リンク設定解除を通知し、前記事業者のサイトへのリンク設定解除を行うステップと、
を有することを特徴とする懸賞提供情報を利用したビジネス促進方法。
【請求項１２】
前記管理サーバが、前記事業者のサイトへのリンク設定後または設定期間ごとに、前記懸賞購入先の登録事業者への懸賞購入代金の支払指示信号を出す、及び／又は、前記事業者端末に対して、前記事業者のサイト内での前記顧客端末からのサービス利用成果に応じた利用料の支払いを行うステップ
を含むことを特徴とする請求項１１に記載の懸賞提供情報を利用したビジネス促進方法。
【請求項１３】
懸賞の提供者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、
前記管理サーバは、
前記提供者端末から懸賞提供情報を受信し、登録する懸賞提供情報登録処理手段と、
前記懸賞提供情報を受取った後、前記顧客端末からの懸賞希望者問合せに応じる懸賞受付窓口サイトを、事業者のサイトへリンク設定するリンク設定管理処理手段と、
前記リンク設定後、前記管理サーバが予め設定された条件に基づき前記事業者端末へのリンク設定解除予告をし、リンク設定解除を通知し、前記事業者のサイトへのリンク設定解除を行うリンク管理処理手段と、
を有することを特徴とする懸賞提供情報を利用したビジネス促進システム。
【請求項１４】
前記事業者のサイトへのリンク設定解除後または設定期間ごとに、前記管理サーバが、前記事業者端末に対して、前記事業者のサイト内での顧客端末からのサービス利用成果に応じた前記提供者端末への情報料支払請求もしくは前記提供者端末への情報料情報の送信と、及び／又は、前記事業者のサイト内での顧客端末からのサービス利用成果に応じた前記リンクの管理サーバへの利用料の支払い請求を行う料金管理処理手段
を含むことを特徴とする請求項１３に記載の懸賞提供情報を利用したビジネス促進システム。
【請求項１５】
懸賞の提供者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、
前記提供者端末からの懸賞提供情報を前記リンクの管理サーバが受信するステップと、
前記管理サーバが前記懸賞提供情報を受取った後、前記顧客端末からの懸賞希望者問合せに応じる懸賞受付窓口サイトを事業者のサイトへリンク設定するステップと、
前記リンク設定後、前記管理サーバが予め設定された条件に基づき前記事業者端末へのリンク設定解除予告をし、リンク設定解除を通知し、前記事業者のサイトへのリンク設定解除を行うステップと、
を有することを特徴とする懸賞提供情報を利用したビジネス促進方法。
【請求項１６】
前記事業者のサイトへのリンク設定解除後または設定期間ごとに、前記管理サーバが、前記事業者端末に対して、前記事業者のサイト内での顧客端末からのサービス利用成果に応じた前記提供者端末への情報料支払い請求もしくは前記提供者端末への情報料情報の送信と、及び／又は、前記事業者のサイト内での顧客端末からのサービス利用成果に応じた前記リンクの管理サーバへの利用料の支払い請求を行うステップ
を含むことを特徴とする請求項１５に記載の懸賞提供情報を利用したビジネス促進方法。
【請求項１７】
懸賞の提供者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、
前記管理サーバは、
前記提供者端末からの懸賞提供情報を受信し、登録する懸賞提供情報登録処理手段と、
前記事業者からの懸賞参加応答情報受信後、前記顧客端末からの懸賞希望者問合せに応じる懸賞受付窓口サイトを、前記事業者のサイトへリンク設定するリンク設定管理処理手段と、
前記リンク設定後、前記管理サーバが予め設定された条件に基づき前記事業者端末への前記リンク設定解除予告をし、リンク設定解除を通知し、前記事業者のサイトへのリンク設定解除を行うリンク管理処理手段と、
を有することを特徴とする懸賞提供情報を利用したビジネス促進システム。
【請求項１８】
前記事業者のサイトへの前記リンク設定解除後または設定期間ごとに、前記事業者端末に対して、前記事業者のサイト内での顧客端末からのサービス利用成果に応じた前記提供者端末への情報料支払い請求もしくは前記提供者端末への情報料情報の送信と、及び／又は、前記事業者のサイト内での顧客端末からのサービス利用成果に応じた前記リンクの管理サーバへの利用料の支払い請求を行う料金管理処理手段
を含むことを特徴とする請求項１７に記載の懸賞提供情報を利用したビジネス促進システム。
【請求項１９】
前記懸賞提供情報を受取った後、前記懸賞提供情報を複数の事業者端末に懸賞参加情報として出力する懸賞参加管理処理手段
を含むことを特徴とする請求項１７または請求項１８に記載の懸賞提供情報を利用したビジネス促進システム。
【請求項２０】
懸賞の提供者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、
前記提供者端末からの懸賞提供情報を前記リンクの管理サーバが受信するステップと、
前記懸賞提供情報に応じた１または複数の事業者端末からの参加信号の受信に基づき、前記顧客端末からの懸賞希望者問合せに応じる懸賞受付窓口サイトを前記事業者のサイトへリンク設定するステップと、
前記リンク設定後、前記管理サーバが予め設定された条件に基づき前記事業者端末へ前記リンク設定解除予告をし、リンク設定解除を通知し、前記事業者のサイトへリンク設定解除を行うステップと、
を有することを特徴とする懸賞提供情報を利用したビジネス促進方法。
【請求項２１】
前記事業者のサイトへのリンク設定解除後または設定期間ごとに、前記管理サーバが、前記事業者端末に対して、前記事業者のサイト内での顧客端末からのサービス利用成果に応じた前記提供者端末への情報料支払い請求もしくは前記提供者端末への情報料情報の送信と、及び／又は、前記事業者のサイト内での顧客端末からのサービス利用成果に応じた前記リンクの管理サーバへの利用料の支払い請求を行うステップ
を含むことを特徴とする請求項２０に記載の懸賞提供情報を利用したビジネス促進方法。
【請求項２２】
前記管理サーバが前記懸賞提供情報を受取った後、前記懸賞提供情報を複数の事業者端末に懸賞参加情報として出力するステップ
を含むことを特徴とする請求項２０または請求項２１に記載の懸賞提供情報を利用したビジネス促進方法。
【発明の詳細な説明】
【技術分野】
【０００１】
この発明は、景品、サービス等の懸賞の提供情報を利用したビジネス促進システム及びその方法に関する。
【背景技術】
【０００２】
従来、ウェブサイトへのアクセス促進にゲーム等を利用したものは見られる。例えば、ウェブホームページのメニュー閲覧、提供商品、及び提供情報の販売促進効果を上げるものとして、会員（消費者）によるウェブホームページのメニュー閲覧、商品購入、及び情報提供に一定または重み付けしたポイントを付与し、さらにこのポイントをスロットマシン、トランプなどのゲームをもって、増加または減点して付与する方法、及びそのための通信システムの技術が開示されている（特許文献１参照）。
【０００３】
また、顧客が、携帯電話を用いてキャンペーンサイトにアクセスし、店舗コードと自己のメールアドレスを入力すると、キャンペーンサイトでは、当選くじ付きゲームが実行され当選メールが当選者に送信される。これによって、顧客の電子メールアドレスと店舗コードを対応付けた情報が蓄積される。利用者から電子メールアドレスを収集し、データベース化する顧客管理システムの開示もある（特許文献２参照）。
【特許文献１】特開２００１−２４３３７６号公報（第１頁  要約及び選択図）
【特許文献２】特開２００３−６４２０号公報（第１頁  要約及び選択図）
【発明の開示】
【発明が解決しようとする課題】
【０００４】
しかしながら、上記の従来のものにあっては、ゲームなどのアクセス吸引力を活用してアクセス・購入などの促進を図る以上のものではない。また、サイト管理者すなわち電子モールを有する管理サーバの管理者または事業者がそのサイトを自らの負担で運営している。
【０００５】
本発明は、事業者にもサイト管理者にも負担が合理的であり、顧客に魅力的なビジネス促進システム及びその方法を提供することを課題とする。
【課題を解決するための手段】
【０００６】
上記課題を解決するため、本発明では、以下のような手段をとる。なお、以下に記載するコンピュータシステムは、複数のコンピュータ、及び、それらのコンピュータ間をつなぐネットワークを含むものである。
【０００７】
懸賞とは、あるものを募り、また人や物を探すために掛けられた商品、サービスや賞金をいう。さらに、懸賞提供情報とは、商品又はサービス等の提供情報を示す。具体的には、商品又はサービス等の内容、利用期限、数量、場合により写真等を示す商品明細を含む。
【０００８】
管理サーバは、サイトの管理者が直接または間接に管理可能なサーバをいい、１つのサーバで構成される場合のみならず、各処理手段、各データベースの機能をいくつかのサーバに分散して持たせることも可能であり、後者の場合においては、これらのサーバの集合したものを管理サーバと呼ぶ。
【０００９】
予め設定された条件とは、設定時間経過、懸賞在庫の終了、ページビュウのカウント数（ＰＶＣ）、バナーのクリックのカウント数（ＢＣＣ）、のいずれか１つまたは複数の条件をいう。
【００１０】
事業者サイト内での閲覧及び懸賞提供情報問合せの利用には、閲覧、問合せのみならず、その後の、懸賞への参加、商品またはサービスの購入、視聴、例えば、アンケート回答等のマーケティング参加を含む。
【００１１】
事業者端末は、事業者が直接または間接に管理可能な携帯端末，携帯電話をも含むコンピュータ端末である。
【００１２】
顧客端末は、顧客が直接または間接に管理可能な携帯端末，携帯電話をも含むコンピュータ端末である。
【００１３】
リンク設定とは、懸賞受付窓口サイトに事業者のバナー広告を貼り付けることである。
【００１４】
請求項１記載の発明は、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、管理サーバは、事業者端末からの事業者の提供する懸賞提供情報を受信し、登録する懸賞提供情報登録処理手段と、懸賞提供情報を受取った後、顧客端末からの懸賞希望問合せに応じる懸賞受付窓口サイトを、事業者のサイトへリンク設定するリンク設定管理処理手段と、リンク設定後、管理サーバが予め設定された条件に基づき事業者端末へのリンク設定解除予告をし、リンク設定解除を通知し、事業者のサイトへのリンク設定解除を行うリンク管理処理手段と、を有することを特徴とする。
【００１５】
これによって、事業者端末から入力された懸賞提供情報を管理サーバが受信し、登録する。その後、管理サーバは懸賞受付窓口サイトと事業者のサイトとをリンク設定するリンクサービスを開始でき、事業者によって予め設定された条件に到達すると、リンク設定解除予告をし、リンク設定解除を通知し、リンクサービスを終了することができる。このため、事業者にもサイト管理者にも負担が合理的であり、顧客に魅力的なビジネス促進システムを実現できる。
【００１６】
請求項２記載の発明は、事業者のサイトへのリンク設定解除後または設定期間ごとに、管理サーバが、事業者端末に対して、事業者のサイト内での顧客端末からのサービス利用成果に応じたリンクの管理サーバへの利用料の支払い請求を行う料金管理処理手段を含むことを特徴とする。
【００１７】
これによって、請求項１に記載の発明に料金管理を行う手段を追加することで、管理サーバは事業者端末に対し、顧客端末からのサービス利用成果に応じた料金の支払いを請求することができる。このため、事業者にもサイト管理者にも負担が合理的であり、顧客に魅力的なビジネス促進システムを実現できる。
【００１８】
請求項３の発明は、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、事業者端末からの事業者の提供する懸賞提供情報がリンクの管理サーバに対して入力されるステップと、リンクの管理サーバが、懸賞提供情報を受取った後、顧客端末からの懸賞希望者問合せに応じる懸賞受付窓口サイトを事業者のサイトへリンク設定するステップと、リンク設定後、管理サーバが予め設定された条件に基づき事業者端末へのリンク設定解除予告をし、リンク設定解除を通知し、事業者のサイトへのリンク設定解除を行うステップと、を有することを特徴とする。
【００１９】
これによって、事業者端末から入力された懸賞提供情報を管理サーバが受信し、登録する。その後、管理サーバは懸賞受付窓口サイトと事業者のサイトとをリンク設定するリンクサービスを開始でき、事業者によって予め設定された条件に到達すると、リンク設定解除予告をし、リンク設定解除を通知し、リンクサービスを終了することができる。このため、事業者にもサイト管理者にも負担が合理的であり、顧客に魅力的なビジネス促進方法を実現できる。
【００２０】
請求項４記載の発明は、事業者のサイトへのリンク設定解除後または設定期間ごとに、管理サーバが、事業者端末に対して、事業者サイト内での顧客端末からのサービス利用成果に応じたリンクの管理サーバへの利用料の支払い請求を行うステップを含むことを特徴とする。
【００２１】
これによって、請求項３に記載の発明に料金管理を行うステップを追加することで、管理サーバは事業者端末に対し、顧客端末からのサービス利用成果に応じた料金の支払いを請求することができる。このため、事業者にもサイト管理者にも負担が合理的であり、顧客に魅力的なビジネス促進方法を実現できる。
【００２２】
なお、上述の請求項１乃至４に記載の発明は、後述の第１実施形態に対応する。
【００２３】
請求項５記載の発明は、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、管理サーバは、懸賞提供情報を予め登録してある他の事業者サイトからの懸賞購入を処理する懸賞購入管理処理手段と、購入された懸賞提供情報を登録する懸賞提供情報登録処理手段と、懸賞提供情報を受取った後、顧客端末からの懸賞希望者問合せに応じる懸賞受付窓口サイトを事業者のサイトへリンク設定するリンク設定管理処理手段と、リンク設定後、管理サーバが予め設定された条件に基づき事業者端末へのリンク設定解除予告をし、リンク設定解除を通知し、事業者のサイトへのリンク設定解除を行うリンク管理処理手段と、を有することを特徴とする。
【００２４】
これによって、懸賞提供情報を予め登録してある他の事業者サイトからの懸賞購入を管理サーバが処理し、登録する。その後、管理サーバは懸賞受付窓口サイトと事業者のサイトとをリンク設定するリンクサービスを開始でき、事業者によって予め設定された条件に到達すると、リンク設定解除予告をし、リンク設定解除を通知し、リンクサービスを終了することができる。このため、事業者にもサイト管理者にも負担が合理的であり、顧客に魅力的なビジネス促進システムを実現できる。
【００２５】
請求項６記載の発明は、事業者のサイトへリンク設定解除後または設定期間ごとに、管理サーバが、事業者端末に対して、他の事業者への懸賞購入代金の支払い請求と、及び／又は、事業者サイト内での顧客端末からのサービス利用成果に応じたリンクの管理サーバへの利用料の支払い請求を行う料金管理処理手段を含むことを特徴とする。
【００２６】
これによって、請求項５に記載の発明に料金管理を行う手段を追加することで、管理サーバは事業者端末に対し、他の事業者への懸賞購入代金の支払い請求と、及び／又は、顧客端末からのサービス利用成果に応じた料金の支払いを請求することができる。このため、事業者にもサイト管理者にも負担が合理的であり、顧客に魅力的なビジネス促進システムを実現できる。
【００２７】
請求項７記載の発明は、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、予め登録してある他の事業者サイトから購入される懸賞の懸賞提供情報をリンクの管理サーバが受信するステップと、リンクの管理サーバが懸賞提供情報を受取った後、顧客端末からの懸賞希望者問合せに応じる懸賞受付窓口サイトを事業者のサイトへリンク設定するステップと、リンク設定後、管理サーバが予め設定された条件に基づき事業者端末へのリンク設定解除予告をし、リンク設定解除を通知し、事業者のサイトへのリンク設定解除を行うステップと、を有することを特徴とする。
【００２８】
これによって、懸賞提供情報を予め登録してある他の事業者サイトからの懸賞購入を管理サーバが処理し、登録する。その後、管理サーバは懸賞受付窓口サイトと事業者のサイトとをリンク設定するリンクサービスを開始でき、事業者によって予め設定された条件に到達すると、リンク設定解除予告をし、リンク設定解除を通知し、リンクサービスを終了することができる。このため、事業者にもサイト管理者にも負担が合理的であり、顧客に魅力的なビジネス促進方法を実現できる。
【００２９】
請求項８記載の発明は、事業者のサイトへリンク設定解除後または設定期間ごとに、管理サーバが、事業者端末に対して、他の事業者への懸賞購入代金の支払い請求と、及び／又は、事業者サイト内での顧客端末からのサービス利用成果に応じたリンクの管理サーバへの利用料の支払い請求を行うステップを含むことを特徴とする。
【００３０】
これによって、請求項７に記載の発明に料金管理を行うステップを追加することで、管理サーバは事業者端末に対し、他の事業者への懸賞購入代金の支払い請求と、及び／又は、顧客端末からのサービス利用成果に応じた料金の支払いを請求することができる。このため、事業者にもサイト管理者にも負担が合理的であり、顧客に魅力的なビジネス促進方法を実現できる。
【００３１】
なお、上述の請求項５乃至８に記載の発明は、後述の第２実施形態に対応する。
【００３２】
請求項９記載の発明は、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、管理サーバは、事業者端末からの利用基本料金を含む、利用申込を受信し、登録する利用料登録処理手段と、申込利用料の予算内において、顧客端末からの希望商品リクエストに基づき登録事業者サイト内にある懸賞を選定・購入し、懸賞提供情報として記憶する懸賞購入管理処理手段と、購入された懸賞提供情報を受信し、登録する懸賞提供情報登録処理手段と、懸賞提供情報を受取った後、顧客端末からの懸賞希望者問合せに応じる懸賞受付窓口サイトを、事業者のサイトへリンク設定するリンク設定管理処理手段と、リンク設定後、管理サーバが、予め設定された条件に基づき事業者端末へのリンク設定解除予告をし、リンク設定解除を通知し、事業者のサイトへのリンク設定解除を行うリンク管理処理手段と、を有することを特徴とする。
【００３３】
これによって、事業者端末からの利用基本料金を含む事業者の申込みにより、管理サーバに事業者の利用が申し込まれる。管理サーバは、事業者が申し込んだ利用基本料金と、顧客端末からのリクエストに基づいて、登録事業者サイト内にある懸賞を選定・購入し、懸賞提供情報として登録する。管理サーバは事業者のサイト内でのリンクを許可し、リンクサービスを開始する。さらに、管理サーバは、事業者によって予め設定された条件に到達すると、リンク設定解除予告をし、リンク設定解除を通知し、リンクサービスを終了することができる。このため、事業者にもサイト管理者にも負担が合理的であり、顧客に魅力的なビジネス促進システムを実現できる。
【００３４】
請求項１０記載の発明は、管理サーバが、事業者のサイトへのリンク設定解除後または設定期間ごとに、事業者端末に対して懸賞購入先の登録事業者への懸賞購入代金の支払指示信号を出す、及び／又は、事業者のサイト内での顧客端末からのサービス利用成果に応じたリンク管理サーバへの利用料の支払い請求を行う料金管理処理手段と、を有することを特徴とする。
【００３５】
これによって、請求項９に記載の発明に料金管理を行う手段を追加することで、管理サーバは事業者端末に対し、懸賞購入先の登録事業者への懸賞購入代金の支払指示信号を出す、及び／又は、顧客端末からのサービス利用成果に応じた料金の支払いを請求することができる。このため、事業者にもサイト管理者にも負担が合理的であり、顧客に魅力的なビジネス促進システムを実現できる。
【００３６】
請求項１１記載の発明は、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、事業者端末からの利用基本料金を含む、利用申込を管理サーバが受信するステップと、利用申込情報を受信後、管理サーバが、申込利用料の予算内において、顧客端末からの希望商品リクエストに基づき登録事業者サイト内にある懸賞を選定・購入し、懸賞提供情報として記憶するステップと、購入された懸賞提供情報を登録するステップと、リンクの管理サーバが顧客端末からの懸賞希望者問合せに応じる懸賞受付窓口サイトを、事業者のサイトへリンク設定するステップと、管理サーバがリンク設定後、予め設定された条件に基づき事業者端末へのリンク設定解除予告をし、リンク設定解除を通知し、事業者のサイトへのリンク設定解除を行うステップと、を有することを特徴とする。
【００３７】
これによって、事業者端末からの利用基本料金を含む事業者の申込みにより、管理サーバに事業者の利用が申し込まれる。管理サーバは、事業者が申し込んだ利用基本料金と、顧客端末からのリクエストに基づいて、登録事業者サイト内にある懸賞を選定・購入し、懸賞提供情報として登録する。管理サーバは事業者のサイト内でのリンクを許可し、リンクサービスを開始する。さらに、管理サーバは、事業者によって予め設定された条件に到達すると、リンク設定解除予告をし、リンク設定解除を通知し、リンクサービスを終了することができる。このため、事業者にもサイト管理者にも負担が合理的であり、顧客に魅力的なビジネス促進方法を実現できる。
【００３８】
請求項１２記載の発明は、管理サーバが、事業者のサイトへのリンク設定後または設定期間ごとに、懸賞購入先の登録事業者への懸賞購入代金の支払指示信号を出す、及び／又は、事業者端末に対して、事業者のサイト内での顧客端末からのサービス利用成果に応じた利用料の支払いを行うステップを含むことを特徴とする。
【００３９】
これによって、請求項１１に記載の発明に料金管理を行うステップを追加することで、管理サーバは事業者端末に対し、懸賞購入先の登録事業者への懸賞購入代金の支払指示信号を出す、及び／又は、顧客端末からのサービス利用成果に応じた料金の支払いを請求することができる。このため、事業者にもサイト管理者にも負担が合理的であり、顧客に魅力的なビジネス促進方法を実現できる。
【００４０】
なお、上述の請求項９乃至１２に記載の発明は、後述の第３実施形態に対応する。
【００４１】
請求項１３記載の発明は、懸賞の提供者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、管理サーバは、提供者端末から懸賞提供情報を受信し、登録する懸賞提供情報登録処理手段と、懸賞提供情報を受取った後、顧客端末からの懸賞希望者問合せに応じる懸賞受付窓口サイトを、事業者のサイトへリンク設定するリンク設定管理処理手段と、リンク設定後、管理サーバが予め設定された条件に基づき事業者端末へのリンク設定解除予告をし、リンク設定解除を通知し、事業者のサイトへのリンク設定解除を行うリンク管理処理手段と、を有することを特徴とする。
【００４２】
これによって、提供者端末から入力された懸賞提供情報を管理サーバが受信し、登録する。その後、管理サーバは懸賞受付窓口サイトと事業者のサイトとをリンク設定するリンクサービスを開始でき、事業者によって予め設定された条件に到達すると、リンク設定解除予告をし、リンク設定解除を通知し、リンクサービスを終了することができる。このため、事業者にもサイト管理者にも負担が合理的であり、顧客に魅力的なビジネス促進システムを実現できる。
【００４３】
請求項１４記載の発明は、事業者のサイトへのリンク設定解除後または設定期間ごとに、管理サーバが、事業者端末に対して、事業者のサイト内での顧客端末からのサービス利用成果に応じた提供者端末への情報料支払請求もしくは提供者端末への情報料情報の送信と、及び／又は、事業者のサイト内での顧客端末からのサービス利用成果に応じたリンクの管理サーバへの利用料の支払い請求を行う料金管理処理手段を含むことを特徴とする。
【００４４】
これによって、請求項１３に記載の発明に料金管理を行う手段を追加することで、管理サーバは事業者端末に対し、事業者のサイト内での顧客端末からのサービス利用成果に応じた提供者端末への情報料支払請求もしくは提供者端末への情報料情報の送信と、及び／又は、事業者のサイト内での顧客端末からのサービス利用成果に応じた利用料の支払いを請求することができる。このため、事業者にもサイト管理者にも負担が合理的であり、顧客に魅力的なビジネス促進システムを実現できる。
【００４５】
請求項１５記載の発明は、懸賞の提供者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、提供者端末からの懸賞提供情報をリンクの管理サーバが受信するステップと、管理サーバが懸賞提供情報を受取った後、顧客端末からの懸賞希望者問合せに応じる懸賞受付窓口サイトを事業者のサイトへリンク設定するステップと、リンク設定後、管理サーバが予め設定された条件に基づき事業者端末へのリンク設定解除予告をし、リンク設定解除を通知し、事業者のサイトへのリンク設定解除を行うステップと、を有することを特徴とする。
【００４６】
これによって、提供者端末から入力された懸賞提供情報を管理サーバが受信し、登録する。その後、管理サーバは懸賞受付窓口サイトと事業者のサイトとをリンク設定するリンクサービスを開始でき、事業者によって予め設定された条件に到達すると、リンク設定解除予告をし、リンク設定解除を通知し、リンクサービスを終了することができる。このため、事業者にもサイト管理者にも負担が合理的であり、顧客に魅力的なビジネス促進方法を実現できる。
【００４７】
請求項１６記載の発明は、事業者のサイトへのリンク設定解除後または設定期間ごとに、管理サーバが、事業者端末に対して、事業者のサイト内での顧客端末からのサービス利用成果に応じた提供者端末への情報料支払い請求もしくは提供者端末への情報料情報の送信と、及び／又は、事業者のサイト内での顧客端末からのサービス利用成果に応じたリンクの管理サーバへの利用料の支払い請求を行うステップを含むことを特徴とする。
【００４８】
これによって、請求項１５に記載の発明に料金管理を行うステップを追加することで、管理サーバは事業者端末に対し、事業者のサイト内での顧客端末からのサービス利用成果に応じた提供者端末への情報料支払請求もしくは提供者端末への情報料情報の送信と、及び／又は、事業者のサイト内での顧客端末からのサービス利用成果に応じた利用料の支払いを請求することができる。このため、事業者にもサイト管理者にも負担が合理的であり、顧客に魅力的なビジネス促進方法を実現できる。
【００４９】
なお、上述の請求項１３乃至１６に記載の発明は、後述の第４実施形態に対応する。
【００５０】
請求項１７記載の発明は、懸賞の提供者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、管理サーバは、提供者端末からの懸賞提供情報を受信し、登録する懸賞提供情報登録処理手段と、事業者からの懸賞参加応答情報受信後、顧客端末からの懸賞希望者問合せに応じる懸賞受付窓口サイトを、事業者のサイトへリンク設定するリンク設定管理処理手段と、リンク設定後、管理サーバが予め設定された条件に基づき事業者端末へのリンク設定解除予告をし、リンク設定解除を通知し、事業者のサイトへのリンク設定解除を行うリンク管理処理手段と、を有することを特徴とする。
【００５１】
これによって、提供者端末から入力された懸賞提供情報を管理サーバに登録し、１又は複数の事業者端末からの懸賞参加応答情報を管理サーバが受信すると、管理サーバは懸賞受付窓口サイトを事業者のサイトにリンク設定する。リンク設定後、管理サーバは事業者のサイト内でのリンクを許可し、リンクサービスを開始する。管理サーバは、事業者によって予め設定された条件に到達すると、リンク設定解除を予告し、リンクサービス終了とすることができる。このため、事業者の参加が増えるに従い、事業者の利用料が減額設定することもできる。このため、事業者にもサイト管理者にも負担が合理的であり、顧客に魅力的なビジネス促進システムを実現できる。
【００５２】
請求項１８記載の発明は、事業者へのリンク設定解除後または設定期間ごとに、事業者端末に対して、事業者のサイト内での顧客端末からのサービス利用成果に応じた提供者端末への情報料支払い請求もしくは提供者端末への情報料情報の送信と、及び／又は、事業者のサイト内での顧客端末からのサービス利用成果に応じたリンクの管理サーバへの利用料の支払い請求を行う料金管理処理手段を含むことを特徴とする。
【００５３】
これによって、請求項１７に記載の発明に料金管理を行う手段を追加することで、管理サーバは事業者端末に対し、事業者のサイト内での顧客端末からのサービス利用成果に応じた提供者端末への情報料支払い請求もしくは提供者端末への情報料情報の送信と、及び／又は、顧客端末からのサービス利用成果に応じた料金の支払いを請求することができる。このため、事業者にもサイト管理者にも負担が合理的であり、顧客に魅力的なビジネス促進システムを実現できる。
【００５４】
請求項１９記載の発明は、懸賞提供情報を受取った後、懸賞提供情報を複数の事業者端末に懸賞参加情報として出力する懸賞参加管理処理手段を含むことを特徴とする。
【００５５】
これによって、複数の事業者に懸賞参加を呼びかけることができ、事業者の参加が増えるに従い、事業者の利用料が減額設定することもできる。このため、事業者にもサイト管理者にも負担が合理的であり、顧客に魅力的なビジネス促進システムを実現できる。
【００５６】
請求項２０記載の発明は、懸賞の提供者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、提供者端末からの懸賞提供情報をリンクの管理サーバが受信するステップと、懸賞提供情報に応じた１または複数の事業者端末からの参加信号の受信に基づき、顧客端末からの懸賞希望者問合せに応じる懸賞受付窓口サイトを事業者のサイトへリンク設定するステップと、リンク設定後、管理サーバが予め設定された条件に基づき事業者端末へリンク設定解除予告をし、リンク設定解除を通知し、事業者のサイトへリンク設定解除を行うステップと、を有することを特徴とする。
【００５７】
これによって、提供者端末から入力された懸賞提供情報を管理サーバに登録し、１又は複数の事業者端末からの懸賞参加応答情報を管理サーバが受信すると、管理サーバは懸賞受付窓口サイトを事業者のサイトにリンク設定する。リンク設定後、管理サーバは事業者のサイト内でのリンクを許可し、リンクサービスを開始する。管理サーバは、事業者によって予め設定された条件に到達すると、リンク設定解除を予告し、リンクサービス終了とすることができる。このため、事業者の参加が増えるに従い、事業者の利用料が減額設定することもできる。このため、事業者にもサイト管理者にも負担が合理的であり、顧客に魅力的なビジネス促進方法を実現できる。
【００５８】
請求項２１記載の発明は、事業者のサイトへリンク設定解除後または設定期間ごとに、管理サーバが、事業者端末に対して、事業者のサイト内での顧客端末からのサービス利用成果に応じた提供者端末への情報料支払い請求もしくは提供者端末への情報料情報の送信と、及び／又は、事業者のサイト内での顧客端末からのサービス利用成果に応じたリンクの管理サーバへの利用料の支払い請求を行うステップを含むことを特徴とする。
【００５９】
これによって、請求項２０に記載の発明に料金管理を行うステップを追加することで、管理サーバは事業者端末に対し、事業者のサイト内での顧客端末からのサービス利用成果に応じた提供者端末への情報料支払い請求もしくは提供者端末への情報料情報の送信と、及び／又は、顧客端末からのサービス利用成果に応じた料金の支払いを請求することができる。このため、事業者にもサイト管理者にも負担が合理的であり、顧客に魅力的なビジネス促進方法を実現できる。
【００６０】
請求項２２記載の発明は、管理サーバが懸賞提供情報を受取った後、懸賞提供情報を複数の事業者端末に懸賞参加情報として出力するステップを含むことを特徴とする。
【００６１】
これによって、複数の事業者に懸賞参加を呼びかけることができ、事業者の参加が増えるに従い、事業者の利用料が減額設定することもできる。このため、事業者にもサイト管理者にも負担が合理的であり、顧客に魅力的なビジネス促進方法を実現できる。
【００６２】
なお、上述の請求項１７乃至２２に記載の発明は、後述の第５実施形態に対応する。
【発明の効果】
【００６３】
本発明の懸賞提供情報を利用したビジネス促進システムまたは方法によると、ウェブサイト上に掲載された魅力的な懸賞を多くの顧客が選択することにより、多数の顧客がその懸賞を提供した事業者等のウェブサイトに誘導される。その結果、その事業者のウェブサイトは顧客から閲覧される機会が増え、事業者のビジネス促進効果が高まる。また、事業者にもサイト管理者にも負担が合理的であるビジネス促進システムまたは方法を実現できる。
【発明を実施するための最良の形態】
【００６４】
以下本発明の実施形態を図面を参照しつつ詳細に説明する。なお、以下に記載する実施形態で、景品を扱う場合の例を記載しているが、景品とは、懸賞で定義される中の１例をここでは示しており、サービスや賞金に置き換え適用することもできる。この場合、サービスや賞金を扱う機能を明示したいのであれば、各構成の処理部と記憶部の各名称中の景品の語を、サービスや賞金に置き換えて明示することができる。また、景品、サービス、賞金のいずれかまたはいくつかを扱う機能を明確とするには、各構成の処理部と記憶部の各名称中の景品の語を、懸賞とすることが望ましい。
【００６５】
また、以下の各実施形態で示す懸賞提供情報登録処理手段が、懸賞提供情報を登録した場合、懸賞は懸賞受付窓口サイトに掲示される。
【００６６】
（第１実施形態）
まず、第１実施形態について図１乃至図７を参照して説明する。図１は、第１実施形態のシステム構成図であり、これに基づいて、システム構成例の概要を説明する。懸賞提供情報を利用したビジネス促進システムは、懸賞提供情報による集客を利用する事業者の事業者端末１０と、その懸賞提供情報を利用する顧客の顧客端末３０これは顧客携帯端末３１であってもよい、が、リンクの管理サーバ２０にインターネット等のネットワーク５０で相互通信可能に接続されるシステムである。なお、懸賞は事業者端末１０だけでなく、管理サーバ２０もまた提供することができる。
【００６７】
ここでの管理サーバ２０は、
（１）住所、氏名、電話番号、電子メールアドレス等の顧客情報を登録する顧客管理処理手段Ｍ１０と、
（２）事業者端末１０から提供される懸賞提供情報を受信し、登録する懸賞提供情報登録処理手段Ｍ１１と、
（３）懸賞提供情報を受取った後、顧客端末３０からの懸賞希望者問合せに応じる懸賞受付窓口サイトを事業者のサイトへリンク設定するリンク設定管理処理手段Ｍ１２と、
（４）リンク設定後、管理サーバが予め設定された条件に基づき事業者端末１０へのリンク設定解除予告をし、リンク設定解除を通知し、事業者のサイトへのリンク設定解除を行うリンク管理処理手段Ｍ１３と、
（５）事業者のサイトへのリンク設定解除後または設定期間ごとに、管理サーバ２０が、事業者端末１０に対して、事業者のサイト内での顧客端末３０からのサービス利用成果に応じた利用料の支払い請求を行う料金管理処理手段Ｍ１４と、
それぞれの手段Ｍ１０，Ｍ１１，Ｍ１２，Ｍ１３、Ｍ１４に対応するデータベースＤ１０，Ｄ１１，Ｄ１２，Ｄ１３，Ｄ１４を有している。ここでデータベースＤ１０，Ｄ１１，Ｄ１２，Ｄ１３，Ｄ１４は、それぞれの手段Ｍ１０，Ｍ１１，Ｍ１２，Ｍ１３、Ｍ１４と、ここでは便宜上分離して示したが、手段内の一要素とすることも出来る。
【００６８】
次に、上記の各手段とそのデータベースの構成をその作用とともに順次説明する。
【００６９】
図２は、管理サーバ２０内の顧客管理処理手段Ｍ１０とそのデータベースＤ１０、懸賞提供情報登録処理手段Ｍ１１とそのデータベースＤ１１の構成を示す構成図である。
【００７０】
まず、事業者は提供を行う景品情報を事業者端末１０に入力する。景品受付管理処理部ｍ１１０１は、事業者端末１０からのリンク用景品入力Ｉ１００１を受付け、景品受付管理情報記憶部ｄ１１０１に記憶する。これにより、管理サーバ２０内に懸賞用の景品情報が登録される。この景品入力情報は、景品審査管理処理部ｍ１１０３により、景品審査管理情報記憶部ｄ１１０３に予め登録されている審査データを参照して、登録するにふさわしいかを判定する。
【００７１】
事業者端末１０から入力された懸賞用の景品がふさわしくない場合、景品審査管理処理部ｍ１１０３は、景品登録不可出力Ｏ１００１を景品提供の事業者端末１０に送る。一方で、事業者から入力された懸賞用の景品がふさわしい場合、景品登録管理処理部ｍ１１０５は、その景品の登録データを景品登録管理情報記憶部ｄ１１０５に記憶する。
【００７２】
景品在庫管理処理部ｍ１１０７は、景品在庫状況を、景品在庫管理情報記憶部ｄ１１０７に記憶し、残数管理を行う。景品利用期限管理処理部ｍ１１０９は、景品利用期限を景品利用期限管理情報記憶部ｄ１１０９に記憶しその管理を行う。
【００７３】
連続リンク指示管理処理部ｍ１１１１は、景品の在庫と利用期限の状況を参照して、連続リンク指示出力Ｏ１００２を事業者端末１０に発信するとともに、連続リンク指示管理情報記憶部ｄ１１１１に記憶する。なお、連続リンク指示とは景品の在庫が切れたり、事業者端末１０から提供される景品の利用期限が切れた場合に、引き続き（連続して）事業者が管理サーバ２０に懸賞用の景品情報を掲載するか否かの判断を求める指示である。
【００７４】
景品登録事業者リンク指示管理処理部ｍ１１１３は、景品登録管理処理部ｍ１１０５の景品登録処理完了信号を受けて、リンク設定指示信号を、景品登録事業者リンク指示管理情報記憶部ｄ１１１３に記憶するとともに、この信号を次のリンク設定管理処理手段Ｍ１２に出力する。
【００７５】
図３は、リンク設定管理処理手段Ｍ１２とそのデータベースＤ１２の構成を示す構成図である。
【００７６】
事業者サイト情報登録管理処理部ｍ１２０１は、事業者端末１０からの事業者サイト情報の入力Ｉ１００３を受けて、事業者サイト情報登録管理情報記憶部ｄ１２０１に記憶する。景品登録事業者リンク指示管理処理部ｍ１１１３からリンク設定指示信号を事業者サイトリンク指示受付管理処理部ｍ１２０３が受けて、これを事業者サイトリンク指示受付管理情報記憶部ｄ１２０３に記憶する。
【００７７】
リンク設定先検索管理処理部ｍ１２０５は、該当事業者のサイトをリンク設定先検索管理情報記憶部ｄ１２０５から検索特定し、顧客端末３０からの景品希望者問合せに応じる懸賞受付窓口サイトへリンク設定管理処理部ｍ１２０７によりリンク設定する。このリンク設定の記憶は、リンク設定管理情報記憶部ｄ１２０７に記憶される。これにより、懸賞受付窓口サイトと事業者サイトとがリンク設定される。
【００７８】
リンク設定解除指示受付管理処理部ｍ１２０９は、リンク設定解除指示を受付けた場合、それをリンク設定解除指示受付管理情報記憶部ｄ１２０９に記憶し、リンク設定解除管理処理部ｍ１２１１が、その特定されたリンクの解除を行い、この状況をリンク設定解除管理情報記憶部ｄ１２１１に記憶する。リンク設定管理処理部ｍ１２０７によりリンク設定された後、リンク指示管理処理部ｍ１２１３は、次のリンク管理処理手段Ｍ１３にリンク指示信号を送る。なお、ここでの、リンク設定管理処理手段Ｍ１２に於けるリンク設定は、スタンバイ状態として、リンク管理処理手段Ｍ１３に知らせ、リンク管理処理手段Ｍ１３からのリンク指示を待つものとしてもよい。
【００７９】
図４は、リンク管理処理手段Ｍ１３とそのデータベースＤ１３の構成を示す構成図である。
【００８０】
リンク指示管理処理部ｍ１２１３からのリンク管理処理手段Ｍ１３へのリンク指示信号を受けて、リンク指示受付管理処理部ｍ１３０１は、これを受付け、リンク指示受付管理情報記憶部ｄ１３０１に記憶する。リンク許可管理処理部ｍ１３０３は、リンク設定後の事業者のリンクを許可し、これをリンク許可管理情報記憶部ｄ１３０３に記憶する。これに伴ってリンクサービスが開始される。リンクタイム管理処理部ｍ１３０５は、リンク時間の設定、起算、積算を行い、これをリンクタイム管理情報記憶部ｄ１３０５に記憶する。
【００８１】
広告管理処理部ｍ１３０７は、広告管理情報記憶部ｄ１３０７を参照して、景品提供情報を複数の顧客端末３０に懸賞情報メール出力Ｏ１００３として送出する。閲覧管理処理部ｍ１３０９は、顧客端末３０からの事業者サイト内での閲覧または懸賞提供情報問合せの利用を受付け、これを閲覧管理情報記憶部ｄ１３０９に記憶する。
【００８２】
注文管理処理部ｍ１３１１は、顧客端末３０から受けた注文を注文管理情報記憶部ｄ１３１１に記憶し、商品送付を指令する商品送付出力Ｏ１００５を送信する。なお、顧客端末３０から受けた注文が不動産広告や求人広告等のサービスに関する問合せに該当する場合、注文管理処理部ｍ１３１１は、物件情報や面接日等の回答を商品送付出力Ｏ１００５として送信する。視聴管理処理部ｍ１３１３は、視聴サービスの要請を受けて、視聴出力指示出力Ｏ１００７を送信し、この状況を視聴管理情報記憶部ｄ１３１３に記憶する。なお、事業者サイトを管理するサーバとの交信により、これらの情報を取得することもできる。
【００８３】
マーケティング管理処理部ｍ１３１５は、マーケティング管理情報記憶部ｄ１３１５と協働で、顧客端末３０に対するアンケートなどのマーケティング参加調査を行い、その結果をマーケティング集計結果出力Ｏ１００９として送出する。懸賞ゲーム管理処理部ｍ１３１７は、懸賞用のゲームをこのシステムが設ける場合の懸賞用のゲームの管理を懸賞用のゲーム管理情報記憶部ｄ１３１７と協働で行う。景品管理処理部ｍ１３１９は、懸賞提供情報登録処理手段Ｍ１１で登録された景品の管理処理を総合的に司り、景品送付指示出力Ｏ１０１１を出すとともに、この状況を景品管理情報記憶部ｄ１３１９に記憶する。なお、事業者サイトを管理するサーバとの交信により、これらの情報を取得することもできる。
【００８４】
リンク停止条件管理処理部ｍ１３２５は、リンク停止条件管理情報記憶部ｄ１３２５とともに、予め設定された条件であるリンク停止条件を、総合的に管理する。この実施形態においては、予め設定された条件の一部とされている設定時間経過は、リンクタイム管理処理部ｍ１３０５で、景品在庫の終了については、景品在庫管理処理部ｍ１１０７と景品在庫管理情報記憶部ｄ１１０７で行う。
【００８５】
ページビュウのカウント数（ＰＶＣ）とバナーのクリックのカウント数（ＢＣＣ）については、ＰＶ・ＢＣ設定管理処理部ｍ１３２１でそれぞれのカウント数を設定し、ＰＶ・ＢＣ設定管理情報記憶部ｄ１３２１に記憶する。また、ＰＶ・ＢＣ積算管理処理部ｍ１３２３でこれらをカウントし積算して、ＰＶ・ＢＣ積算管理情報記憶部ｄ１３２３に記憶する。これらの予め設定された条件は、いずれか１つまたは複数の条件でもよい。なお、事業者サイトを管理するサーバとの交信により、ページビュウのカウント数（ＰＶＣ）とバナーのクリックのカウント数（ＢＣＣ）を取得することもできる。
【００８６】
リンク停止条件は、図６に基づき後述するように周期的にチェックされる。連続リンク管理処理部ｍ１３２７は、連続リンク管理情報記憶部ｄ１３２７と協働して再提供商品確認出力Ｏ１０１３を事業者端末１０に出す。リンク停止指示管理処理部ｍ１３２９は、リンク終了を確認し、リンク終了出力Ｏ１０１５を送出し、この状況をリンク停止指示管理情報記憶部ｄ１３２９に記憶する。これにより、管理サーバ２０は事業者端末１０へのリンクサービスの設定解除を予告した後、事業者のリンクは終了となる。
【００８７】
事業者のリンクが終了すると、リンク設定解除指示管理処理部ｍ１３３１は、リンク設定管理処理手段Ｍ１２のリンク設定解除指示受付管理処理部ｍ１２０９にリンク設定解除指示を与え、リンク設定解除指示管理情報記憶部ｄ１３３１は、この状況を記憶する。リンク設定管理処理手段Ｍ１２のリンク設定解除管理処理部ｍ１２１１が、リンク設定を解除する。料金精算指示管理処理部ｍ１３３３は、料金精算指示管理情報記憶部ｄ１３３３と協働して、図５の料金管理処理手段Ｍ１４に料金精算指示を与える。
【００８８】
図５は、料金管理処理手段Ｍ１４とそのデータベースＤ１４の構成を示す構成図である。
【００８９】
料金精算指示管理処理部ｍ１３３３からの料金精算指示信号を料金精算指示受付管理処理部ｍ１４０１が受け、これを料金精算指示受付管理情報記憶部ｄ１４０１に記憶する。それぞれの利用料金は、その性格に応じて、次の各管理処理部で行われる。
【００９０】
広告売上げ代金は、広告売上代金積算管理処理部ｍ１４０３で処理され、広告売上代金積算管理情報記憶部ｄ１４０３に記憶される。注文売上げ代金は、注文売上代金積算管理処理部ｍ１４０５で処理され、注文売上代金積算管理情報記憶部ｄ１４０５に記憶される。閲覧売上げ代金は、閲覧売上代金積算管理処理部ｍ１４０７で処理され、閲覧売上代金積算管理情報記憶部ｄ１４０７に記憶される。マーケティング利用代金は、マーケティング利用代金積算管理処理部ｍ１４０９で処理され、マーケティング利用代金積算管理情報記憶部ｄ１４０９に記憶される。各事業者サイトの売上げは、事業者別サイト売上合計管理処理部ｍ１４１１で処理され、事業者別サイト売上合計管理情報記憶部ｄ１４１１に記憶される。各事業者の利用料は、上記の該当する処理部と情報記憶部から利用料計算管理処理部ｍ１４１３で計算され、利用料計算管理情報記憶部ｄ１４１３に記憶される。
【００９１】
利用料請求管理処理部ｍ１４１５は、利用料請求出力Ｏ１０１７を該当する事業者端末１０宛に送出する。これは、利用料請求管理情報記憶部ｄ１４１５に記憶される。これにより、事業者がリンクを終了させた場合、管理サーバ２０は事業者端末１０に対して、顧客端末３０からのサービス利用成果に応じた利用料の支払請求を行う。具体的には、顧客が懸賞受付窓口サイトに掲載された景品をクリックすると、リンク設定された事業者サイトに更新される。事業者サイトのページビュウのカウントやバナークリックのカウントが増加すると、利用成果は増加する。利用料入金管理処理部ｍ１４１７は、事業者からの入金があった場合、利用料請求管理情報記憶部ｄ１４１５の記憶と対照し、その結果を、利用料入金管理情報記憶部ｄ１４１７に記憶する。なお、上述した支払請求及び入金確認については、クレジットカード決済や電子マネー決済等の決済手段でも行うことができる。
【００９２】
次に図６の懸賞受付窓口サイトへの再リンク手順を示すフローチャートに基づき、連続リンク指示管理処理部ｍ１１１１と連続リンク管理処理部ｍ１３２７における懸賞受付窓口サイトへの再リンク機能を説明する。
【００９３】
リンクタイム管理処理部ｍ１３０５から出される間欠的信号に基づき、ステップＳ１で、リンク許可確認指示信号を出す。ステップＳ２で、最終景品利用期限が終了しているか否かを判定する。ＮＯ（否）であれば、次のステップＳ４で、ページビューの設定カウント数（設定ＰＶ）またはバナークリックの設定カウント数（設定ＢＣ）が超過しているか否かを判定する。ＮＯ（否）であれば、次のステップＳ５で、景品在庫が終了しているか否かを判定する。ＮＯ（否）であれば、次のステップＳ６で、設定時間が終了しているか否かを判定する。ＮＯ（否）であれば、次のステップＳ７に移行する。ここまでの各ステップのいずれかで、ＹＥＳ（終了・超過）であれば、ステップＳ１０で連続リンク条件確認指示信号を出力し、ステップＳ１１で、連続リンク用景品登録が完了しているか否かを判定する。ＮＯ（否）であれば、ステップＳ１２でリンク停止指示を出す。ＹＥＳ（登録完了）であれば、ステップＳ１に戻る。
【００９４】
ステップＳ７では、設定時間終了まで２４時間あるか否かを判定する。ＮＯ（否）であれば、次のステップＳ８で、設定ＰＶまたは設定ＢＣが８０％超過しているか否かを判定する。ＮＯ（否）であれば、次のステップＳ９で、景品在庫が残り１か否かを判定する。ＮＯ（否）であれば、ステップＳ１に戻る。
【００９５】
もしステップＳ７，Ｓ８，Ｓ９のいずれかの判定が、ＹＥＳであれば、ステップＳ１３で連続リンク確認指示信号を事業者端末１０に送る。また、ステップＳ７，Ｓ８，Ｓ９のいずれかの判定が、ＹＥＳであってもステップＳ１に戻る。これによって、リンクしている事業者が、連続リンク用景品登録を行わない限り、いずれにしてもステップＳ１１の判定はＮＯとなり、ステップＳ１１で、リンク指示が出されることになる。
【００９６】
上記の懸賞受付窓口サイトへの再リンク機能は、後述する実施形態においても採用されており、この図６に基づく説明は、そのまま後述する実施形態に適用できるものである。
次に図７の懸賞受付窓口サイト７０と事業者のサイト７４，７６，７８との概念図に基づいて、顧客端末３０からの懸賞希望者問合せに応じる懸賞受付窓口サイト７０を事業者に割り当て、事業者のサイト７４，７６，７８へリンク設定する場合について説明する。図７に示す例では、懸賞提供情報登録処理手段が、懸賞提供情報を登録した場合、懸賞は懸賞受付窓口サイトに掲示される。
【００９７】
この例では、懸賞受付窓口サイト７０には、事業者から提供された懸賞提供情報、ここでは景品、ａ、ｂ、ｃ、ｄ、ｅ、ｆ、ｇ、ｈ、ｉが、並んで表示され、この窓口に問い合わせた顧客のクリック信号によって、景品表示、例えばａ、ｂ、ｉとリンクされた各事業者のＡ店サイト７４、Ｂ店サイト７６、Ｉ店サイト７８が、表示される。
【００９８】
この図７に基づく上記の説明は、後述する実施形態においても適用できるものである。
【００９９】
（第２実施形態）
次に、第２実施形態について図８乃至図１３を参照して説明する。図８は、第２実施形態のシステム構成図であり、これに基づいて、システム構成例の概要を説明する。懸賞提供情報を利用したビジネス促進システムは、懸賞提供情報による集客を利用する事業者の事業者端末１０と、その懸賞提供情報を利用する顧客の顧客端末３０これは顧客携帯端末３１であってもよい、が、リンクの管理サーバ２０にインターネット等のネットワーク５０で相互通信可能に接続されるシステムである。なお、懸賞は他の事業者端末１０だけでなく、管理サーバ２０もまた提供することができる。
【０１００】
ここでの管理サーバ２０は、
（１）住所、氏名、電話番号、電子メールアドレス等の顧客情報を登録する顧客管理処理手段Ｍ２０と、
（２）懸賞を提供する懸賞提供者が懸賞提供情報を予め登録しており、その他の事業者サイトからの懸賞購入を処理する懸賞購入管理処理手段Ｍ２１と、
（３）購入された懸賞提供情報を受信し、登録する懸賞提供情報登録処理手段Ｍ２２と、
（４）懸賞提供情報を受取った後、顧客端末３０からの懸賞希望者問合せに応じる懸賞受付窓口サイトを事業者のサイトへリンク設定するリンク設定管理処理手段Ｍ２３と、
（５）リンク設定後、管理サーバが、予め設定された条件に基づき事業者端末１０へのリンク設定解除予告をし、リンク設定解除を通知し、事業者のサイトへのリンク設定解除を行うリンク管理処理手段Ｍ２４と、
（６）管理サーバ２０が、事業者のサイトへのリンク設定解除後または設定期間ごとに、事業者端末１０に対して、他の事業者への懸賞購入代金の支払い請求と、及び／または、事業者のサイト内での顧客端末３０からのサービス利用成果に応じたリンクの管理サーバへの利用料の支払い請求とを行う料金管理処理手段Ｍ２５と、
それぞれの手段Ｍ２０，Ｍ２１，Ｍ２２，Ｍ２３，Ｍ２４，Ｍ２５に対応するデータベースＤ２０，Ｄ２１，Ｄ２２，Ｄ２３，Ｄ２４，Ｄ２５を有している。ここでデータベースＤ２０，Ｄ２１，Ｄ２２，Ｄ２３，Ｄ２４，Ｄ２５は、それぞれの手段Ｍ２０，Ｍ２１，Ｍ２２，Ｍ２３，Ｍ２４，Ｍ２５と、ここでは便宜上分離して示したが、手段内の一要素とすることも出来る。
【０１０１】
次に、上記の各手段とそのデータベースの構成をその作用とともに順次説明する。
【０１０２】
図９は、管理サーバ２０内の顧客管理処理手段Ｍ２０とそのデータベースＤ２０、懸賞購入管理処理手段Ｍ２１とそのデータベースＤ２１の構成を示す構成図である。
【０１０３】
景品購入店舗閲覧管理処理部ｍ２１０１は、事業者端末１０からの景品購入店舗選択入力Ｉ２００１を受付け、これを景品購入店舗閲覧管理情報記憶部ｄ２１０１に記憶する。これにより、事業者は複数の景品提供者のうち、どの懸賞提供者（店舗）から購入するかを閲覧できる。
【０１０４】
景品購入店舗選択管理処理部ｍ２１０３は、事業者が複数の懸賞提供者のうちどの懸賞提供者から購入するかを選択でき、事業者が選択した懸賞提供者は景品購入店舗選択管理情報記憶部ｄ２１０３に記憶される。
【０１０５】
事業者端末１０からの購入店舗が決定後、景品閲覧管理処理部ｍ２１０５は、事業者端末１０からの購入景品選択入力Ｉ２００２を受付け、これを景品閲覧管理情報記憶部ｄ２１０５に記憶する。これにより、店舗内に掲載される複数の景品のうち、事業者はどの景品を購入するかを閲覧できる。
【０１０６】
景品選択管理処理部ｍ２１０７は、複数の景品の中から１又は複数の景品を事業者に選択させ、景品選択管理情報記憶部ｄ２１０７に記憶させる。景品購入管理処理部ｍ２１０９は、事業者端末１０によって購入される景品の購入情報を作成し、景品購入管理情報記憶部ｄ２１０９に記憶する。景品登録指示管理処理部ｍ２１１１は、景品購入管理処理部ｍ２１０９の景品購入処理完了信号を受けて、景品登録指示信号を、景品登録指示管理情報記憶部ｄ２１１１に記憶するとともに、この信号を次の懸賞提供情報登録処理手段Ｍ２２に出力する。
【０１０７】
図１０は、管理サーバ２０内の懸賞提供情報登録処理手段Ｍ２２とそのデータベースＤ２２の構成を示す構成図である。
【０１０８】
景品登録指示管理処理部ｍ２１１１からの懸賞提供情報登録処理手段Ｍ２２への景品購入処理完了信号を受けて、景品登録指示受付管理処理部ｍ２２０１は、これを受付け、景品登録指示受付管理情報記憶部ｄ２２０１に記憶する。さらに、景品登録受付管理処理部ｍ２２０３は、景品情報を景品登録受付管理情報記憶部ｄ２２０３に記憶する。これにより、管理サーバ２０内に懸賞用の景品情報が登録される。この景品入力情報は、景品審査管理処理部ｍ２２０５により、景品審査管理情報記憶部ｄ２２０５に予め登録されている審査データを参照して、登録するにふさわしいかを判定する。
【０１０９】
事業者端末１０によって懸賞提供者から購入された懸賞用の景品がふさわしくない場合、景品審査管理処理部ｍ２２０５は、景品登録不可出力Ｏ２００１を懸賞提供の事業者端末１０に送る。一方で、事業者端末１０によって懸賞提供者から購入された懸賞用の景品がふさわしい場合、景品登録管理処理部ｍ２２０７は、その景品の登録データを景品登録管理情報記憶部ｄ２２０７に記憶する。
【０１１０】
景品在庫管理処理部ｍ２２０９は、景品在庫状況を、景品在庫管理情報記憶部ｄ２２０９に記憶し、残数管理を行う。景品利用期限管理処理部ｍ２２１１は、景品利用期限を景品利用期限管理情報記憶部ｄ２２１１に記憶しその管理を行う。
【０１１１】
連続リンク指示管理処理部ｍ２２１３は、景品の在庫と利用期限の状況を参照して、連続リンク指示出力Ｏ２００２を事業者端末１０に発信するとともに、連続リンク指示管理情報記憶部ｄ２２１３に記憶する。なお、連続リンク指示とは景品の在庫が切れたり、事業者が提供する景品の利用期限が切れた場合に、引き続き（連続して）事業者が管理サーバ２０に懸賞用の懸賞情報を掲載するか否かの判断を求める指示である。
【０１１２】
景品登録事業者リンク指示管理処理部ｍ２２１５は、景品登録管理処理部ｍ２２０７の景品登録処理完了信号を受けて、リンク設定指示信号を、景品登録事業者リンク指示管理情報記憶部ｄ２２１５に記憶するとともに、この信号を次のリンク設定管理処理手段Ｍ２３に出力する。
【０１１３】
図１１は、リンク設定管理処理手段Ｍ２３とそのデータベースＤ２３の構成を示す構成図である。
【０１１４】
事業者サイト情報登録管理処理部ｍ２３０１は、事業者サイト情報入力Ｉ２００３を受けて、事業者サイト情報登録管理情報記憶部ｄ２３０１に記憶する。景品登録事業者リンク指示管理処理部ｍ２２１５からリンク設定指示信号を景品登録事業者リンク指示受付管理処理部ｍ２３０３が受けて、これを景品登録事業者リンク指示受付管理情報記憶部ｄ２３０３に記憶する。
【０１１５】
リンク設定先検索管理処理部ｍ２３０５は、該当事業者のサイトをリンク設定先検索管理情報記憶部ｄ２３０５から検索特定し、顧客端末３０からの懸賞希望者問合せに応じる懸賞受付窓口サイトへリンク設定管理処理部ｍ２３０７によりリンク設定する。このリンク設定の記憶は、リンク設定管理情報記憶部ｄ２３０７に記憶される。これにより、懸賞受付窓口サイトと事業者サイトとがリンクされる。
【０１１６】
リンク設定解除指示受付管理処理部ｍ２３０９は、リンク設定解除指示を受付けた場合、それをリンク設定解除指示受付管理情報記憶部ｄ２３０９に記憶し、リンク設定解除管理処理部ｍ２３１１が、その特定されたリンクの解除を行い、この状況をリンク設定解除管理情報記憶部ｄ２３１１に記憶する。リンク設定管理処理部ｍ２３０７によりリンク設定された後、リンク指示管理処理部ｍ２３１３は、次のリンク管理処理手段Ｍ２４にリンク指示信号を送る。なお、ここでの、リンク設定管理処理手段Ｍ２３に於けるリンク設定は、スタンバイ状態として、リンク管理処理手段Ｍ２４に知らせ、リンク管理処理手段Ｍ２４からのリンク指示を待つものとしてもよい。
【０１１７】
図１２は、リンク管理処理手段Ｍ２４とそのデータベースＤ２４の構成を示す構成図である。
【０１１８】
リンク指示管理処理部ｍ２３１３からのリンク管理処理手段Ｍ２４へのリンク指示信号を受けて、リンク指示受付管理処理部ｍ２４０１は、これを受付け、リンク指示受付管理情報記憶部ｄ２４０１に記憶する。リンク許可管理処理部ｍ２４０３は、リンク設定後の事業者のリンクを許可し、これをリンク許可管理情報記憶部ｄ２４０３に記憶する。これに伴ってリンクサービスが開始される。リンクタイム管理処理部ｍ２４０５は、リンク時間の設定、起算、積算を行い、これをリンクタイム管理情報記憶部ｄ２４０５に記憶する。
【０１１９】
広告管理処理部ｍ２４０７は、広告管理情報記憶部ｄ２４０７を参照して、懸賞提供情報を複数の顧客端末３０に懸賞情報メール出力Ｏ２００３を送出する。閲覧管理処理部ｍ２４０９は、顧客端末３０からの事業者サイト内での閲覧または懸賞提供情報問合せの利用を受付け、これを閲覧管理情報記憶部ｄ２４０９に記憶する。
【０１２０】
注文管理処理部ｍ２４１１は、顧客端末３０から受けた注文を注文管理情報記憶部ｄ２４１１に記憶し、商品送付を指令する商品送付出力Ｏ２００５を送信する。なお、顧客端末３０から受けた注文が不動産広告や求人広告等のサービスに関する問合せに該当する場合、注文管理処理部ｍ２４１１は、物件情報や面接日等の回答を商品送付出力Ｏ２００５として送信する。視聴管理処理部ｍ２４１３は、視聴サービスの要請を受けて、視聴出力指示出力Ｏ２００７を送信し、この状況を視聴管理情報記憶部ｄ２４１３に記憶する。なお、事業者サイトを管理するサーバとの交信により、これらの情報を取得することもできる。
【０１２１】
マーケティング管理処理部ｍ２４１５は、マーケティング管理情報記憶部ｄ２４１５と協働で、顧客端末３０に対するアンケートなどのマーケティング参加調査を行い、その結果をマーケティング集計結果出力Ｏ２００９として送出する。懸賞ゲーム管理処理部ｍ２４１７は、懸賞用のゲームをこのシステムが設ける場合の懸賞用のゲームの管理を懸賞ゲーム管理情報記憶部ｄ２４１７と協働で行う。景品管理処理部ｍ２４１９は、懸賞提供情報登録処理手段Ｍ２２で登録された景品の管理処理を総合的に司り、景品送付指示出力Ｏ２０１１を出すとともに、この状況を景品管理情報記憶部ｄ２４１９に記憶する。なお、事業者サイトを管理するサーバとの交信により、これらの情報を取得することもできる。
【０１２２】
リンク停止条件管理処理部ｍ２４２５は、リンク停止条件管理情報記憶部ｄ２４２５とともに、予め設定された条件であるリンク停止条件を、総合的に管理する。この実施形態においては、予め設定された条件の一部とされている設定時間経過は、リンクタイム管理処理部ｍ２４０５で、景品在庫の終了については、景品在庫管理処理部ｍ２２０９と景品在庫管理情報記憶部ｄ２２０９で、行う。
【０１２３】
ページビュウのカウント数（ＰＶＣ）とバナーのクリックのカウント数（ＢＣＣ）については、ＰＶ・ＢＣ設定管理処理部ｍ２４２１でそれぞれのカウント数を設定し、ＰＶ・ＢＣ設定管理情報記憶部ｄ２４２１に記憶する。また、ＰＶ・ＢＣ積算管理処理部ｍ２４２３でこれらをカウントし積算して、ＰＶ・ＢＣ積算管理情報記憶部ｄ２４２３に記憶する。これらの予め設定された条件は、いずれか１つまたは複数の条件でもよい。なお、事業者サイトを管理するサーバとの交信により、ページビュウのカウント数（ＰＶＣ）とバナーのクリックのカウント数（ＢＣＣ）を取得することもできる。
【０１２４】
リンク停止条件は、上述した図６に基づき周期的にチェックされる。連続リンク管理処理部ｍ２４２７は、連続リンク管理情報記憶部ｄ２４２７と協働して再提供商品確認出力Ｏ２０１３を事業者端末１０に出す。リンク停止指示管理処理部ｍ２４２９は、リンク終了を確認し、リンク終了出力Ｏ２０１５を送出し、この状況をリンク停止指示管理情報記憶部ｄ２４２９に記憶する。これにより、管理サーバ２０は事業者端末１０へのリンクサービスの設定解除を予告した後、事業者のリンクは終了となる。
【０１２５】
事業者のリンクが終了すると、リンク設定解除指示管理処理部ｍ２４３１は、リンク設定管理処理手段Ｍ２３にリンク設定解除指示を与え、リンク設定解除指示管理情報記憶部ｄ２４３１は、この状況を記憶する。リンク設定管理処理手段Ｍ２３のリンク設定解除管理処理部ｍ２３１１が、リンク設定を解除する。料金精算指示管理処理部ｍ２４３３は、料金精算指示管理情報記憶部ｄ２４３３と協働して、図１３の料金管理処理手段Ｍ２５に料金精算指示を与える。
【０１２６】
図１３は、料金管理処理手段Ｍ２５とそのデータベースＤ２５の構成を示す構成図である。
【０１２７】
料金精算指示管理処理部ｍ２４３３からの料金精算指示を料金精算指示受付管理処理部ｍ２５０１が受け、これを料金精算指示受付管理情報記憶部ｄ２５０１に記憶する。それぞれの利用料金は、その性格に応じて、次の各管理処理部で行われる。
【０１２８】
広告売上げ代金は、広告売上代金積算管理処理部ｍ２５０３で処理され、広告売上代金積算管理情報記憶部ｄ２５０３に記憶される。注文売上げ代金は、注文売上代金積算管理処理部ｍ２５０５で処理され、注文売上代金積算管理情報記憶部ｄ２５０５に記憶される。閲覧売上げ代金は、閲覧売上代金積算管理処理部ｍ２５０７で処理され、閲覧売上代金積算管理情報記憶部ｄ２５０７に記憶される。マーケティング利用代金は、マーケティング利用代金積算管理処理部ｍ２５０９で処理され、マーケティング利用代金積算管理情報記憶部ｄ２５０９に記憶される。各事業者サイトの売上げは、事業者別サイト売上合計管理処理部ｍ２５１１で処理され、事業者別サイト売上合計管理情報記憶部ｄ２５１１に記憶される。各事業者の利用料は、上記の該当する処理部と情報記憶部から利用料計算管理処理部ｍ２５１３で計算され、利用料計算管理情報記憶部ｄ２５１３に記憶される。
【０１２９】
景品購入代金積算管理処理部ｍ２５１５は、事業者端末１０から景品提供者より購入した景品の代金を集計し、景品購入代金積算管理情報記憶部ｄ２５１５に記憶する。利用料・景品購入代金請求管理処理部ｍ２５１７は、利用料・景品購入代金請求出力Ｏ２０１７を該当する事業者端末１０宛に送出する。これは、利用料・景品購入代金請求管理情報記憶部ｄ２５１７に記憶される。利用料・景品購入代金入金管理処理部ｍ２５１９は、入金があった場合、利用料・景品購入代金請求管理情報記憶部ｄ２５１７の記憶と対照し、その結果を、利用料・景品購入代金入金管理情報記憶部ｄ２５１９に記憶する。なお、上述した支払請求及び入金確認については、クレジットカード決済や電子マネー決済等の決済手段でも行うことができる。
【０１３０】
（第３実施形態）
次に、第３実施形態について図１４乃至図２０を参照して説明する。図１４は、第３実施形態のシステム構成図であり、これに基づいて、システム構成例の概要を説明する。懸賞提供情報を利用したビジネス促進システムは、懸賞提供情報による集客を利用する事業者の事業者端末１０と、その懸賞提供情報を利用する顧客の顧客端末３０これは顧客携帯端末３１であってもよい、が、リンクの管理者の管理サーバ２０にインターネット等のネットワーク５０で相互通信可能に接続されるシステムである。
【０１３１】
ここでの管理サーバ２０は、
（１）住所、氏名、電話番号、電子メールアドレス等の顧客情報を登録する顧客管理処理手段Ｍ４０と、
（２）事業者端末１０からの利用基本料金を含む、利用申込を受信し、登録する利用料登録処理手段Ｍ４１と、
（３）申込利用料の予算内において、顧客端末３０からの希望商品リクエストに基づき登録事業者サイト内にある懸賞を選定・購入し、懸賞提供情報として記憶する懸賞購入管理処理手段Ｍ４２と、
（４）購入された懸賞提供情報を受信し、登録する懸賞提供情報登録処理手段Ｍ４３と、
（５）懸賞提供情報を受け取った後、顧客端末３０からの懸賞希望者問合せに応じる懸賞受付窓口サイトを事業者のサイトへリンク設定するリンク設定管理処理手段Ｍ４４と、
（６）リンク設定後、管理サーバが、予め設定された条件に基づき事業者端末１０へのリンク設定解除予告をし、リンク設定解除を通知し、事業者のサイトへのリンク設定解除を行うリンク管理処理手段Ｍ４５と、
（７）管理サーバ２０が、事業者のサイトへリンク設定解除後または設定期間ごとに、事業者端末に対して懸賞購入先の登録事業者への懸賞購入代金の支払指示信号を出す、及び／又は、事業者のサイト内での顧客端末３０からのサービス利用成果に応じたリンクの管理サーバへの利用料の支払い請求を行う料金管理処理手段Ｍ４６と、
それぞれの手段Ｍ４０，Ｍ４１，Ｍ４２，Ｍ４３，Ｍ４４，Ｍ４５，Ｍ４６に対応するデータベースＤ４０，Ｄ４１，Ｄ４２，Ｄ４３，Ｄ４４，Ｄ４５，Ｄ４６を有している。ここでデータベースＤ４０，Ｄ４１，Ｄ４２，Ｄ４３，Ｄ４４，Ｄ４５，Ｄ４６は、それぞれの手段Ｍ４０，Ｍ４１，Ｍ４２，Ｍ４３、Ｍ４４，Ｍ４５，Ｍ４６と、ここでは便宜上分離して示したが、手段内の一要素とすることも出来る。
【０１３２】
次に、上記の各手段とそのデータベースの構成をその作用とともに順次説明する。
【０１３３】
図１５は、管理サーバ２０内の顧客管理処理手段Ｍ４０とそのデータベースＤ４０、利用料登録処理手段Ｍ４１とそのデータベースＤ４１の構成を示す構成図である。
【０１３４】
利用料金表閲覧管理処理部ｍ４１０１は、事業者が管理サーバを利用してリンクを行う場合に、その利用料金を表示させる。利用料金の情報は、利用料金表閲覧管理情報記憶部ｄ４１０１に記憶されている。
【０１３５】
事業者端末１０から複数の利用基本料金表を閲覧し、そのうちの１又は複数の利用基本料金表を選択すると、利用基本料金選択管理処理部ｍ４１０３が、事業者端末１０からの利用基本料金選択入力Ｉ４００１を受付け、利用基本料金選択管理情報記憶部ｄ４１０３に記憶する。
【０１３６】
利用料登録管理処理部ｍ４１０５は、事業者端末１０から選択した利用料金表の情報を登録し、利用料登録管理情報記憶部ｄ４１０５に記憶する。景品購入指示管理処理部ｍ４１０７は、利用料登録管理処理部ｍ４１０５の利用登録処理完了信号を受けて、景品購入指示信号を、景品購入指示管理情報記憶部ｄ４１０７に記憶するとともに、この信号を次の懸賞購入管理処理手段Ｍ４２に出力する。
【０１３７】
図１６は、管理サーバ２０内の懸賞購入管理処理手段Ｍ４２とそのデータベースＤ４２の構成を示す構成図である。
【０１３８】
景品購入指示管理処理部ｍ４１０７からの懸賞購入管理処理手段Ｍ４２への景品購入指示信号を受けて、景品購入指示受付管理処理部ｍ４２１１は、これを受付け、景品購入指示受付管理情報記憶部ｄ４２１１に記憶する。
【０１３９】
景品リクエスト情報受信管理処理部ｍ４２０１は、顧客端末３０からの景品リクエスト入力Ｉ４００２を受付け、景品リクエスト情報受信管理情報記憶部ｄ４２０１に記憶する。さらに、景品リクエスト情報登録管理処理部ｍ４２０３は、受信した景品リクエスト情報を登録し、景品リクエスト情報登録管理情報記憶部ｄ４２０３に記憶する。
【０１４０】
景品リクエスト情報積算管理処理部ｍ４２０５は、景品リクエスト情報登録管理処理部ｍ４２０３で登録された景品リクエスト情報を景品ごとに積算し、景品リクエスト情報積算管理情報記憶部ｄ４２０５に記憶する。さらに、景品リクエストランキング管理処理部ｍ４２０７は、景品ごとに積算された景品リクエスト情報をリクエストの多い順にランキング付（順位付）し、景品リクエストランキング管理情報記憶部ｄ４２０７に記憶する。
【０１４１】
ランキング景品検索管理処理部ｍ４２１３は、景品購入信号を受けて、景品リクエストランキング管理情報記憶部ｄ４２０７を検索し、検索結果をランキング景品検索管理情報記憶部ｄ４２１３に記憶する。
【０１４２】
景品購入管理処理部ｍ４２１５は、事業者端末１０から購入される景品の購入情報を作成し、景品購入管理情報記憶部ｄ４２１５に記憶する。購入景品リクエスト積算更新管理処理部ｍ４２０９は、実際に景品の購入があると、その結果を反映した順位の更新を行い、購入景品リクエスト積算更新管理情報記憶部ｄ４２０９に記憶する。景品登録指示管理処理部ｍ４２１７は、景品購入管理処理部ｍ４２１５の景品購入処理完了信号を受けて、景品登録指示信号を、景品登録指示管理情報記憶部ｄ４２１７に記憶するとともに、この信号を次の懸賞提供情報登録処理手段Ｍ４３に出力する。
【０１４３】
図１７は、管理サーバ２０内の懸賞提供情報登録処理手段Ｍ４３とそのデータベースＤ４３の構成を示す構成図である。
【０１４４】
景品登録指示管理処理部ｍ４２１７からの懸賞提供情報登録処理手段Ｍ４３への景品登録指示信号を受けて、景品登録指示受付管理処理部ｍ４３０１は、これを受付け、景品登録指示受付管理情報記憶部ｄ４３０１に記憶する。景品受付管理処理部ｍ４３０３は、景品情報を景品受付管理情報記憶部ｄ４３０３に記憶する。
【０１４５】
景品登録管理処理部ｍ４３０５は、その景品の登録データを景品登録管理情報記憶部ｄ４３０５に記憶する。景品在庫管理処理部ｍ４３０７は、景品在庫状況を、景品在庫管理情報記憶部ｄ４３０７に記憶し、残数管理を行う。景品利用期限管理処理部ｍ４３０９は、景品利用期限を景品利用期限管理情報記憶部ｄ４３０９に記憶しその管理を行う。連続リンク指示管理処理部ｍ４３１１は、景品の在庫と利用期限の状況を参照して、連続リンク指示出力Ｏ４００２を事業者端末１０に発信するとともに、連続リンク指示管理情報記憶部ｄ４３１１に記憶する。なお、連続リンク指示とは景品の在庫が切れたり、事業者が提供する景品の利用期限が切れた場合に、引き続き（連続して）事業者が管理サーバ２０に懸賞用の景品情報を掲載するか否かの判断を求める指示である。
【０１４６】
景品登録事業者リンク指示管理処理部ｍ４３１３は、景品登録管理処理部ｍ４３０５の景品登録処理完了信号を受けて、リンク設定指示信号を、景品登録事業者リンク指示管理情報記憶部ｄ４３１３に記憶するとともに、この信号を次のリンク設定管理処理手段Ｍ４４に出力する。
【０１４７】
図１８は、リンク設定管理処理手段Ｍ４４とそのデータベースＤ４４の構成を示す構成図である。
【０１４８】
事業者サイト情報登録管理処理部ｍ４４０１は、事業者サイト情報入力Ｉ４００３を受けて、事業者サイト情報登録管理情報記憶部ｄ４４０１に記憶する。景品登録事業者リンク指示管理処理部ｍ４３１３からリンク設定指示信号を景品登録事業者リンク指示受付管理処理部ｍ４４０３が受けて、これを景品登録事業者リンク指示受付管理情報記憶部ｄ４４０３に記憶する。
【０１４９】
リンク設定先検索管理処理部ｍ４４０５は、該当事業者のサイトをリンク設定先検索管理情報記憶部ｄ４４０５から検索特定し、顧客端末３０からの懸賞希望者問合せに応じる懸賞受付窓口サイトへリンク設定管理処理部ｍ４４０７によりリンク設定する。このリンク設定の記憶は、リンク設定管理情報記憶部ｄ４４０７に記憶される。
【０１５０】
リンク設定解除指示受付管理処理部ｍ４４０９は、リンク設定解除指示を受付けた場合、それをリンク設定解除指示受付管理情報記憶部ｄ４４０９に記憶し、リンク設定解除管理処理部ｍ４４１１が、その特定されたリンクの解除を行い、この状況をリンク設定解除管理情報記憶部ｄ４４１１に記憶する。リンク設定管理処理部ｍ４４０７によりリンク設定された後、リンク指示管理処理部ｍ４４１３は、次のリンク管理処理手段Ｍ４５にリンク指示信号を送る。なお、ここでの、リンク設定管理処理手段Ｍ４４に於けるリンク設定は、スタンバイ状態として、リンク管理処理手段Ｍ４５に知らせ、リンク管理処理手段Ｍ４５からのリンク指示を待つものとしてもよい。
【０１５１】
図１９は、リンク管理処理手段Ｍ４５とそのデータベースＤ４５の構成を示す構成図である。
【０１５２】
リンク指示管理処理部ｍ４４１３からのリンク管理処理手段Ｍ４５へのリンク指示信号を受けて、リンク指示受付管理処理部ｍ４５０１は、これを受付け、リンク指示受付管理情報記憶部ｄ４５０１に記憶する。リンク許可管理処理部ｍ４５０３は、リンク設定後の事業者のリンクを許可し、これをリンク許可管理情報記憶部ｄ４５０３に記憶する。これに伴ってリンクサービスを開始する。リンクタイム管理処理部ｍ４５０５は、リンク時間の設定、起算、積算を行い、これをリンクタイム管理情報記憶部ｄ４５０５に記憶する。
【０１５３】
広告管理処理部ｍ４５０７は、広告管理情報記憶部ｄ４５０７を参照して、懸賞提供情報を複数の顧客端末３０に懸賞情報メール出力Ｏ４００１を送出する。閲覧管理処理部ｍ４５０９は、顧客端末３０からの事業者サイト内での閲覧または懸賞提供情報問合せの利用を受付け、これを閲覧管理情報記憶部ｄ４５０９に記憶する。
【０１５４】
注文管理処理部ｍ４５１１は、顧客端末３０から受けた注文を注文管理情報記憶部ｄ４５１１に記憶し、商品送付を指令する商品送付出力Ｏ４００３を送信する。なお、顧客端末３０から受けた注文が不動産広告や求人広告等のサービスに関する問合せに該当する場合、注文管理処理部ｍ４５１１は、物件情報や面接日等の回答を商品送付出力Ｏ４００３として送信する。視聴管理処理部ｍ４５１３は、視聴サービスの要請を受けて、視聴出力指示出力Ｏ４００５を送信し、この状況を視聴管理情報記憶部ｄ４５１３に記憶する。なお、事業者サイトを管理するサーバとの交信により、これらの情報を取得することもできる。
【０１５５】
マーケティング管理処理部ｍ４５１５は、マーケティング管理情報記憶部ｄ４５１５と協働で、顧客端末３０に対するアンケートなどのマーケティング参加調査を行い、その結果をマーケティング集計結果出力Ｏ４００７として送出する。懸賞ゲーム管理処理部ｍ４５１７は、懸賞用のゲームをこのシステムが設ける場合の懸賞用のゲームの管理を懸賞用のゲーム管理情報記憶部ｄ４５１７と協働で行う。景品管理処理部ｍ４５１９は、懸賞提供情報登録処理手段Ｍ４３で登録された景品の管理処理を総合的に司り、景品送付指示出力Ｏ４００９を出すとともに、この状況を景品管理情報記憶部ｄ４５１９に記憶する。なお、事業者サイトを管理するサーバとの交信により、これらの情報を取得することもできる。
【０１５６】
リンク停止条件管理処理部ｍ４５２５は、リンク停止条件管理情報記憶部ｄ４５２５とともに、予め設定された条件であるリンク停止条件を、総合的に管理する。この実施形態においては、予め設定された条件の一部とされている設定時間経過は、リンクタイム管理処理部ｍ４５０５で、景品在庫の終了については、景品在庫管理処理部ｍ４３０７と景品在庫管理情報記憶部ｄ４３０７で行う。
【０１５７】
ページビュウのカウント数（ＰＶＣ）とバナーのクリックのカウント数（ＢＣＣ）については、ＰＶ・ＢＣ設定管理処理部ｍ４５２１でそれぞれのカウント数を設定し、ＰＶ・ＢＣ設定管理情報記憶部ｄ４５２１に記憶する。また、ＰＶ・ＢＣ積算管理処理部ｍ４５２３でこれらをカウントし積算して、ＰＶ・ＢＣ積算管理情報記憶部ｄ４５２３に記憶する。これらの予め設定された条件は、いずれか１つまたは複数の条件でもよい。なお、事業者サイトを管理するサーバとの交信により、ページビュウのカウント数（ＰＶＣ）とバナーのクリックのカウント数（ＢＣＣ）を取得することもできる。
【０１５８】
リンク停止条件は、上述した図６に基づき周期的にチェックされる。連続リンク管理処理部ｍ４５２７は、連続リンク管理情報記憶部ｄ４５２７と協働して再提供商品確認出力Ｏ４０１１を該当の事業者端末１０に出す。リンク停止指示管理処理部ｍ４５２９は、リンク終了を確認し、リンク終了出力Ｏ４０１３を送出し、この状況をリンク停止指示管理情報記憶部ｄ４５２９に記憶する。
【０１５９】
リンク設定解除指示管理処理部ｍ４５３１は、リンク設定管理処理手段Ｍ４４にリンク設定解除指示を与え、リンク設定解除指示管理情報記憶部ｄ４５３１は、この状況を記憶する。リンク設定管理処理手段Ｍ４４のリンク設定解除管理処理部ｍ４４１１が、リンク設定を解除する。料金精算指示管理処理部ｍ４５３３は、料金精算指示管理情報記憶部ｄ４５３３と協働して、図２０の料金管理処理手段Ｍ４６に料金精算指示を与える。
【０１６０】
図２０は、料金管理処理手段Ｍ４６とそのデータベースＤ４６の構成を示す構成図である。
【０１６１】
料金精算指示管理処理部ｍ４５３３からの料金精算指示を料金精算指示受付管理処理部ｍ４６０１が受け、これを料金精算指示受付管理情報記憶部ｄ４６０１に記憶する。それぞれの利用料金は、その性格に応じて、次の各管理処理部で行われる。
【０１６２】
広告売上げ代金は、広告売上代金積算管理処理部ｍ４６０３で処理され、広告売上代金積算管理情報記憶部ｄ４６０３に記憶される。注文売上げ代金は、注文売上代金積算管理処理部ｍ４６０５で処理され、注文売上代金積算管理情報記憶部ｄ４６０５に記憶される。閲覧売上げ代金は、閲覧売上代金積算管理処理部ｍ４６０７で処理され、閲覧売上代金積算管理情報記憶部ｄ４６０７に記憶される。マーケティング利用代金は、マーケティング利用代金積算管理処理部ｍ４６０９で処理され、マーケティング利用代金積算管理情報記憶部ｄ４６０９に記憶される。
【０１６３】
各事業者サイトの売上げは、事業者別サイト売上合計管理処理部ｍ４６１１で処理され、事業者別サイト売上合計管理情報記憶部ｄ４６１１に記憶される。各事業者の利用料は、上記の該当する処理部と情報記憶部から利用料計算管理処理部ｍ４６１３で計算され、利用料計算管理情報記憶部ｄ４６１３に記憶される。
【０１６４】
景品購入代金積算管理処理部ｍ４６１５は、事業者端末１０から景品提供者より購入した景品の代金を積算し、景品購入代金積算管理情報記憶部ｄ４６１５に記憶する。利用料請求管理処理部ｍ４６１７は、利用料請求出力Ｏ４０１５を該当する事業者端末１０宛に送出する。これは、利用料請求管理情報記憶部ｄ４６１７に記憶される。利用料入金管理処理部ｍ４６１９は、入金があった場合、利用料請求管理情報記憶部ｄ４６１７の記憶と対照し、その結果を、利用料入金管理情報記憶部ｄ４６１９に記憶する。景品代金支払管理処理部ｍ４６２１は、景品代金支払いを行い、その結果を景品代金支払管理情報記憶部ｄ４６２１に記憶する。なお、上述した支払請求及び入金確認については、クレジットカード決済や電子マネー決済等の決済手段でも行うことができる。
【０１６５】
（第４実施形態）
次に、第４実施形態について図２１乃至図２５を参照して説明する。図２１は、第４実施形態のシステム構成図であり、これに基づいて、システム構成例の概要を説明する。懸賞提供情報を利用したビジネス促進システムは、懸賞提供情報による集客を利用する事業者の事業者端末１０と、その懸賞提供情報を利用する顧客の顧客端末３０、これは顧客携帯端末３１であってもよい、と、懸賞を提供する提供者端末４０とが、リンクの管理サーバ２０にインターネット等のネットワーク５０で相互通信可能に接続されるシステムである。なお、懸賞は提供者端末４０だけでなく、管理サーバ２０もまた提供することができる。
【０１６６】
ここでの管理サーバ２０は、
（１）住所、氏名、電話番号、電子メールアドレス等の顧客情報を登録する顧客管理処理手段Ｍ５０と、
（２）提供者端末４０からの懸賞提供情報を受信し、登録する懸賞提供情報登録処理手段Ｍ５１と、
（３）懸賞提供情報を受取った後、顧客端末３０からの懸賞希望者問合せに応じる懸賞受付窓口サイトを、事業者のサイトへリンク設定するリンク設定管理処理手段Ｍ５２と、
（４）リンク設定後、管理サーバが、予め設定された条件に基づき事業者端末１０へのリンク設定解除予告をし、リンク設定解除を通知し、事業者のサイトへのリンク終了を行うリンク管理処理手段Ｍ５３と、
（５）管理サーバ２０が、事業者のサイトへのリンク設定解除後または設定期間ごとに、事業者端末１０に対して、事業者のサイト内での顧客端末３０からのサービス利用成果に応じた提供者端末４０への情報料支払い請求若しくは提供者端末４０への情報料情報の送信と、及び／又は、事業者のサイト内での顧客端末３０からのサービス利用成果に応じたリンクの管理サーバ２０への利用料の支払い請求を行う料金管理処理手段Ｍ５４と、
それぞれの手段Ｍ５０，Ｍ５１，Ｍ５２，Ｍ５３，Ｍ５４に対応するデータベースＤ５０，Ｄ５１，Ｄ５２，Ｄ５３，Ｄ５４を有している。ここでデータベースＤ５０，Ｄ５１，Ｄ５２，Ｄ５３，Ｄ５４は、それぞれの手段Ｍ５０，Ｍ５１，Ｍ５２，Ｍ５３，Ｍ５４と、ここでは便宜上分離して示したが、手段内の一要素とすることも出来る。
【０１６７】
次に、上記の各手段とそのデータベースの構成をその作用とともに順次説明する。
【０１６８】
図２２は、顧客管理処理手段Ｍ５０とそのデータベースＤ５０、管理サーバ２０内の懸賞提供情報登録処理手段Ｍ５１とそのデータベースＤ５１の構成を示す構成図である。
【０１６９】
提供景品受付管理処理部ｍ５１０１は、提供者端末４０からの提供景品入力Ｉ５００１を受付け、提供景品受付管理情報記憶部ｄ５１０１に記憶する。この景品入力情報は、提供景品審査管理処理部ｍ５１０３により、提供景品審査管理情報記憶部ｄ５１０３に予め登録されている審査データを参照して、登録するにふさわしいかを判定する。
【０１７０】
提供者端末４０から入力された懸賞用の景品がふさわしくない場合、提供景品審査管理処理部ｍ５１０３は景品登録不可出力Ｏ５００１を景品提供の提供者端末４０に送る。一方で、提供者から入力された懸賞用の景品がふさわしい場合、提供景品登録管理処理部ｍ５１０５は、その景品の登録データを提供景品登録管理情報記憶部ｄ５１０５に記憶する。
【０１７１】
景品在庫管理処理部ｍ５１０７は、景品在庫状況を景品在庫管理情報記憶部ｄ５１０７に記憶し、残数管理を行う。景品利用期限管理処理部ｍ５１０９は、景品利用期限を景品利用期限管理情報記憶部ｄ５１０９に記憶しその管理を行う。連続リンク指示管理処理部ｍ５１１１は、景品の在庫と利用期限の状況を参照して、連続リンク指示出力Ｏ５００２を事業者端末１０に発信するとともに、連続リンク指示管理情報記憶部ｄ５１１１に記憶する。なお、連続リンク指示とは景品の在庫が切れたり、提供者が登録する景品の利用期限が切れた場合に、引き続き（連続して）事業者が管理サーバ２０に懸賞用の景品情報を掲載するか否かの判断を求める指示である。
【０１７２】
登録事業者リンク指示管理処理部ｍ５１１３は、提供景品登録管理処理部ｍ５１０５の提供景品登録処理完了信号を受けて、リンク設定指示信号を、登録事業者リンク指示管理情報記憶部ｄ５１１３に記憶するとともに、この信号を次のリンク設定管理処理手段Ｍ５２に出力する。
【０１７３】
図２３は、リンク設定管理処理手段Ｍ５２とそのデータベースＤ５２の構成を示す構成図である。
【０１７４】
登録事業者サイト情報管理処理部ｍ５２０１は、事業者サイト情報入力Ｉ５００３を受けて、登録事業者サイト情報管理情報記憶部ｄ５２０１に記憶する。登録事業者リンク指示管理処理部ｍ５１１３からリンク設定指示信号を登録事業者リンク指示受付管理処理部ｍ５２０３が受けて、これを登録事業者リンク指示受付管理情報記憶部ｄ５２０３に記憶する。
【０１７５】
リンク設定先検索管理処理部ｍ５２０５は、該当事業者のサイトをリンク設定先検索管理情報記憶部ｄ５２０５から検索特定し、顧客端末３０からの懸賞希望者問合せに応じる懸賞受付窓口サイトへリンク設定管理処理部ｍ５２０７によりリンク設定する。このリンク設定の記憶は、リンク設定管理情報記憶部ｄ５２０７に記憶される。
【０１７６】
リンク設定解除指示受付管理処理部ｍ５２０９は、リンク設定解除指示を受付けた場合、それをリンク設定解除指示受付管理情報記憶部ｄ５２０９に記憶し、リンク設定解除管理処理部ｍ５２１１が、その特定されたリンクの解除を行い、この状況をリンク設定解除管理情報記憶部ｄ５２１１に記憶する。リンク設定管理処理部ｍ５２０７によりリンク設定された後、リンク指示管理処理部ｍ５２１３は、次のリンク管理処理手段Ｍ５３にリンク指示信号を送る。なお、ここでの、リンク設定管理処理手段Ｍ５２に於けるリンク設定は、スタンバイ状態として、リンク管理処理手段Ｍ５３に知らせ、リンク管理処理手段Ｍ５３からのリンク指示を待つものとしてもよい。
【０１７７】
図２４は、リンク管理処理手段Ｍ５３とそのデータベースＤ５３の構成を示す構成図である。
【０１７８】
リンク指示管理処理部ｍ５２１３からのリンク管理処理手段Ｍ５３へのリンク指示信号を受けて、リンク指示受付管理処理部ｍ５３０１は、これを受付け、リンク指示受付管理情報記憶部ｄ５３０１に記憶する。リンク許可管理処理部ｍ５３０３は、リンク設定後の事業者のリンクを許可し、これをリンク許可管理情報記憶部ｄ５３０３に記憶する。これに伴ってリンクサービスを開始する。リンクタイム管理処理部ｍ５３０５は、リンク時間の設定、起算、積算を行い、これをリンクタイム管理情報記憶部ｄ５３０５に記憶する。
【０１７９】
広告管理処理部ｍ５３０７は、広告管理情報記憶部ｄ５３０７を参照して、懸賞提供情報を複数の顧客端末３０に懸賞情報メール出力Ｏ５００３を送出する。閲覧管理処理部ｍ５３０９は、顧客端末３０からの事業者サイト内での閲覧または懸賞提供情報問合せの利用を受付け、これを閲覧管理情報記憶部ｄ５３０９に記憶する。
【０１８０】
注文管理処理部ｍ５３１１は、顧客端末３０から受けた注文を注文管理情報記憶部ｄ５３１１に記憶し、商品送付を指令する商品送付出力Ｏ５００５を送信する。なお、顧客端末３０から受けた注文が不動産広告や求人広告等のサービスに関する問合せに該当する場合、注文管理処理部ｍ５３１１は、物件情報や面接日等の回答を商品送付出力Ｏ５００５として送信する。視聴管理処理部ｍ５３１３は、視聴サービスの要請を受けて、視聴出力指示出力Ｏ５００７を送信し、この状況を視聴管理情報記憶部ｄ５３１３に記憶する。なお、事業者サイトを管理するサーバとの交信により、これらの情報を取得することもできる。
【０１８１】
マーケティング管理処理部ｍ５３１５は、マーケティング管理情報記憶部ｄ５３１５と協働で、顧客端末３０に対するアンケートなどのマーケティング参加調査を行い、その結果をマーケティング集計結果出力Ｏ５００９として送出する。懸賞ゲーム管理処理部ｍ５３１７は、懸賞用のゲームをこのシステムが設ける場合の懸賞用のゲームの管理を懸賞用のゲーム管理情報記憶部ｄ５３１７と協働で行う。景品管理処理部ｍ５３１９は、懸賞提供情報登録処理手段Ｍ５１で登録された景品の管理処理を総合的に司り、景品送付指示出力Ｏ５０１１を出すとともに、この状況を景品管理情報記憶部ｄ５３１９に記憶する。なお、事業者サイトを管理するサーバとの交信により、これらの情報を取得することもできる。
【０１８２】
リンク停止条件管理処理部ｍ５３２５は、リンク停止条件管理情報記憶部ｄ５３２５とともに、予め設定された条件であるリンク停止条件を、総合的に管理する。この実施形態においては、予め設定された条件の一部とされている設定時間経過は、リンクタイム管理処理部ｍ５３０５で、景品在庫の終了については、景品在庫管理処理部ｍ５１０７と景品在庫管理情報記憶部ｄ５１０７で行う。
【０１８３】
ページビュウのカウント数（ＰＶＣ）とバナーのクリックのカウント数（ＢＣＣ）については、ＰＶ・ＢＣ設定管理処理部ｍ５３２１でそれぞれのカウント数を設定し、ＰＶ・ＢＣ設定管理情報記憶部ｄ５３２１に記憶する。また、ＰＶ・ＢＣ積算管理処理部ｍ５３２３でこれらをカウントし積算して、ＰＶ・ＢＣ積算管理情報記憶部ｄ５３２３に記憶する。これらの予め設定された条件は、いずれか１つまたは複数の条件でもよい。なお、事業者サイトを管理するサーバとの交信により、ページビュウのカウント数（ＰＶＣ）とバナーのクリックのカウント数（ＢＣＣ）を取得することもできる。
【０１８４】
リンク停止条件は、上述した図６に基づき周期的にチェックされる。連続リンク管理処理部ｍ５３２７は、連続リンク管理情報記憶部ｄ５３２７と協働して再提供商品確認出力Ｏ５０１３を事業者端末１０に出す。リンク停止指示管理処理部ｍ５３２９は、リンク終了を確認し、リンク終了出力Ｏ５０１５を送出し、この状況をリンク停止指示管理情報記憶部ｄ５３２９に記憶する。
【０１８５】
リンク設定解除指示管理処理部ｍ５３３１は、リンク設定管理処理手段Ｍ５２にリンク設定解除指示を与え、リンク設定解除指示管理情報記憶部ｄ５３３１は、この状況を記憶する。リンク設定管理処理手段Ｍ５２のリンク設定解除管理処理部ｍ５２１１が、リンク設定を解除する。料金精算指示管理処理部ｍ５３３３は、料金精算指示管理情報記憶部ｄ５３３３と協働して、図２５の料金管理処理手段Ｍ５４に料金精算指示を与える。
【０１８６】
図２５は、料金管理処理手段Ｍ５４とそのデータベースＤ５４の構成を示す構成図である。
【０１８７】
料金精算指示管理処理部ｍ５３３３からの料金精算指示を料金精算指示受付管理処理部ｍ５４０１が受け、これを料金精算指示受付管理情報記憶部ｄ５４０１に記憶する。それぞれの利用料金は、その性格に応じて、次の各管理処理部で行われる。
【０１８８】
広告売上げ代金は、事業者別広告売上代金積算管理処理部ｍ５４０３で処理され、事業者別広告売上代金積算管理情報記憶部ｄ５４０３に記憶される。注文売上げ代金は、事業者別注文売上代金積算管理処理部ｍ５４０５で処理され、事業者別注文売上代金積算管理情報記憶部ｄ５４０５に記憶される。閲覧売上げ代金は、事業者別閲覧売上代金積算管理処理部ｍ５４０７で処理され、事業者別閲覧売上代金積算管理情報記憶部ｄ５４０７に記憶される。マーケティング利用代金は、事業者別マーケティング利用代金積算管理処理部ｍ５４０９で処理され、事業者別マーケティング利用代金積算管理情報記憶部ｄ５４０９に記憶される。
【０１８９】
各事業者サイトの売上げは、事業者別サイト売上合計管理処理部ｍ５４１１で処理され、事業者別サイト売上合計管理情報記憶部ｄ５４１１に記憶される。各事業者の利用料は、上記の該当する処理部と情報記憶部から事業者別利用料計算管理処理部ｍ５４１３で計算され、事業者別利用料計算管理情報記憶部ｄ５４１３に記憶される。さらに、各事業者の情報料は、上記の該当する処理部と情報記憶部から事業者別情報料計算管理処理部ｍ５４１５で計算され、事業者別情報料計算管理情報記憶部ｄ５４１５に記憶される。
【０１９０】
事業者別利用料・情報料請求管理処理部ｍ５４１７は、事業者別利用料・情報料請求出力Ｏ５０１７を該当する事業者端末１０宛に送出する。これは、事業者別利用料・情報料請求管理情報記憶部ｄ５４１７に記憶される。事業者別利用料・情報料入金管理処理部ｍ５４１９は、入金があった場合、事業者別利用料・情報料請求管理情報記憶部ｄ５４１７の記憶と対照し、その結果を、事業者別利用料・情報料入金管理情報記憶部ｄ５４１９に記憶する。情報料支払管理処理部ｍ５４２１は、提供者端末４０への情報料支払いを行い、その結果を情報料支払管理情報記憶部ｄ５４２１に記憶する。なお、上述した支払請求及び入金確認については、クレジットカード決済や電子マネー決済等の決済手段でも行うことができる。
【０１９１】
（第５実施形態）
次に、第５実施形態について図２６乃至図３１を参照して説明する。図２６は、第５実施形態のシステム構成図であり、これに基づいて、システム構成例の概要を説明する。懸賞提供情報を利用したビジネス促進システムは、懸賞提供情報による集客を利用する事業者の事業者端末１０と、その懸賞提供情報を利用する顧客の顧客端末３０、これは顧客携帯端末３１であってもよい、と、懸賞を提供する提供者端末４０とが、リンクの管理サーバ２０にインターネット等のネットワーク５０で相互通信可能に接続されるシステムである。なお、懸賞は提供者端末４０だけでなく、管理サーバ２０もまた提供することができる。
【０１９２】
ここでの管理サーバ２０は、
（１）住所、氏名、電話番号、電子メールアドレス等の顧客情報を登録する顧客管理処理手段Ｍ６０と、
（２）提供者端末４０からの懸賞提供情報を受信し、登録する懸賞提供情報登録処理手段Ｍ６１と、
（３）懸賞提供情報を受取った後、懸賞提供情報を複数の事業者端末１０に懸賞参加情報として出力する懸賞参加管理処理手段Ｍ６２と、
（４）１又は複数の事業者端末１０からの懸賞参加応答情報受信後、顧客端末３０からの懸賞希望者問合せに応じる懸賞受付窓口サイトを事業者のリンク設定するリンク設定管理処理手段Ｍ６３と、
（５）リンク設定後、予め設定された条件に基づき事業者端末１０へのリンク設定解除予告をし、リンク設定解除を通知し、事業者のサイトへのリンク設定解除を行うリンク管理処理手段Ｍ６４と、
（６）事業者のサイトへのリンク設定解除後または設定期間ごとに、事業者端末１０に対して、事業者のサイト内での顧客端末３０からのサービス利用成果に応じた提供者端末４０への情報料支払い請求もしくは提供者端末４０への情報料情報の送信と、及び／又は、事業者のサイト内での顧客端末からのサービス利用成果に応じたリンクの管理サーバへの利用料の支払い請求を行う料金管理処理手段Ｍ６５と、
それぞれの手段Ｍ６０，Ｍ６１，Ｍ６２，Ｍ６３，Ｍ６４，Ｍ６５に対応するデータベースＤ６０，Ｄ６１，Ｄ６２，Ｄ６３，Ｄ６４，Ｄ６５を有している。ここでデータベースＤ６０，Ｄ６１，Ｄ６２，Ｄ６３，Ｄ６４，Ｄ６５は、それぞれの手段Ｍ６０，Ｍ６１，Ｍ６２，Ｍ６３，Ｍ６４，Ｍ６５と、ここでは便宜上分離して示したが、手段内の一要素とすることも出来る。
【０１９３】
次に、上記の各手段とそのデータベースの構成をその作用とともに順次説明する。
【０１９４】
図２７は、管理サーバ２０内の顧客管理処理手段Ｍ６０とそのデータベースＤ６０、懸賞提供情報登録処理手段Ｍ６１とそのデータベースＤ６１の構成を示す構成図である。
【０１９５】
提供景品受付管理処理部ｍ６１０１は、提供者端末４０からの提供景品入力Ｉ６００１を受付け、提供景品受付管理情報記憶部ｄ６１０１に記憶する。この景品入力情報は、提供景品審査管理処理部ｍ６１０３により、提供景品審査管理情報記憶部ｄ６１０３に予め登録されている審査データを参照して、登録するにふさわしいかを判定する。
【０１９６】
提供者端末４０から提供される懸賞用の景品がふさわしくない場合、景品登録不可出力Ｏ６００１を景品提供の事業者端末１０に送る。一方で、提供者端末４０から提供される懸賞用の景品がふさわしい場合、提供景品登録管理処理部ｍ６１０５は、その景品の登録データを提供景品登録管理情報記憶部ｄ６１０５に記憶する。
【０１９７】
景品在庫管理処理部ｍ６１０７は、景品在庫状況を、景品在庫管理情報記憶部ｄ６１０７に記憶し、残数管理を行う。景品利用期限管理処理部ｍ６１０９は、景品利用期限を景品利用期限管理情報記憶部ｄ６１０９に記憶しその管理を行う。
【０１９８】
懸賞登録解除指示受付管理処理部ｍ６１１３は、懸賞登録解除指示信号を受付けた場合、それを懸賞登録解除指示受付管理情報記憶部ｄ６１１３に記憶し、懸賞登録解除管理処理部ｍ６１１５が、懸賞参加不可登録解除出力Ｏ６００３を出力し、その特定された懸賞登録の解除を行い、この状況を懸賞登録解除管理情報記憶部ｄ６１１５に記憶する。
【０１９９】
懸賞参加募集指示管理処理部ｍ６１１１は、提供景品登録管理処理部ｍ６１０５の提供景品登録処理完了信号を受けて、懸賞参加募集指示信号を、懸賞参加募集指示管理情報記憶部ｄ６１１１に記憶するとともに、この信号を次の懸賞参加管理処理手段Ｍ６２に出力する。
【０２００】
図２８は、管理サーバ２０内の懸賞参加管理処理手段Ｍ６２とそのデータベースＤ６２の構成を示す構成図である。
【０２０１】
懸賞参加募集指示管理処理部ｍ６１１１からの懸賞参加管理処理手段Ｍ６２への懸賞参加募集指示信号を受けて、懸賞参加募集指示受付管理処理部ｍ６２０１は、これを受付け、懸賞参加募集指示受付管理情報記憶部ｄ６２０１に記憶する。懸賞参加情報管理処理部ｍ６２０３は、１または複数の事業者端末１０に対し、懸賞参加を依頼する懸賞提供参加情報出力Ｏ６００４を出力し、これを懸賞参加情報管理情報記憶部ｄ６２０３に記憶する。懸賞参加タイム管理処理部ｍ６２０５は、懸賞参加時間の設定、起算、積算を行い、これを懸賞参加タイム管理情報記憶部ｄ６２０５に記憶する。
【０２０２】
懸賞参加情報受信管理処理部ｍ６２０７は、１または複数の事業者端末１０からの懸賞参加入力Ｉ６００３を受付け、これを懸賞参加情報受信管理情報記憶部ｄ６２０７に記憶し、さらに、懸賞参加情報登録管理処理部ｍ６２０９が懸賞参加データを登録し、懸賞参加情報登録管理情報記憶部ｄ６２０９に記憶する。懸賞参加情報積算管理処理部ｍ６２１１は、懸賞参加情報登録管理処理部ｍ６２０９で登録された懸賞参加データを積算し、懸賞参加情報積算管理情報記憶部ｄ６２１１に記憶する。
【０２０３】
懸賞登録解除指示管理処理部ｍ６２１３は、懸賞提供情報登録処理手段Ｍ６１の懸賞登録解除指示受付管理処理部ｍ６１１３に懸賞登録解除指示信号を与え、懸賞登録解除指示管理情報記憶部ｄ６２１３は、この状況を記憶する。懸賞提供情報登録処理手段Ｍ６１の懸賞登録解除管理処理部ｍ６１１５が懸賞登録を解除する。
【０２０４】
参加連続リンク指示管理処理部ｍ６２１５は、景品の在庫と利用期限の状況を参照して、参加連続リンク指示出力Ｏ６００２を事業者端末１０に発信するとともに、参加連続リンク指示管理情報記憶部ｄ６２１５に記憶する。なお、参加連続リンク指示とは景品の在庫が切れたり、提供者端末４０から登録される景品の利用期限が切れた場合に、引き続き（連続して）事業者が管理サーバ２０に懸賞用の景品情報を掲載するか否かの判断も求める指示である。
【０２０５】
参加事業者リンク指示管理処理部ｍ６２１７は、懸賞参加情報登録管理処理部ｍ６２０９の懸賞参加登録処理完了信号を受けて、リンク設定指示信号を、参加事業者リンク指示管理情報記憶部ｄ６２１７に記憶するとともに、この信号を次のリンク設定管理処理手段Ｍ６３に出力する。
【０２０６】
図２９は、リンク設定管理処理手段Ｍ６３とそのデータベースＤ６３の構成を示す構成図である。
【０２０７】
事業者サイト情報登録管理処理部ｍ６３０１は、事業者サイト情報入力Ｉ６００５を受けて、事業者サイト情報登録管理情報記憶部ｄ６３０１に記憶する。参加事業者リンク指示管理処理部ｍ６２１７からリンク設定指示信号を参加事業者リンク指示受付管理処理部ｍ６３０３が受けて、これを参加事業者リンク指示受付管理情報記憶部ｄ６３０３に記憶する。
【０２０８】
リンク設定先検索管理処理部ｍ６３０５は、該当事業者のサイトをリンク設定先検索管理情報記憶部ｄ６３０５から検索特定し、顧客端末３０からの懸賞希望者問合せに応じる懸賞受付窓口サイトへリンク設定管理処理部ｍ６３０７によりリンク設定する。このリンク設定の記憶は、リンク設定管理情報記憶部ｄ６３０７に記憶される。
【０２０９】
なお、複数の参加事業者への懸賞受付窓口サイトの掲示位置は、平等を基本として早い順番で決めることも出来るし、参加口数で順位を決めて割り当てることも出来る。
【０２１０】
リンク設定解除指示受付管理処理部ｍ６３０９は、リンク設定解除指示を受付けた場合、それをリンク設定解除指示受付管理情報記憶部ｄ６３０９に記憶し、リンク設定解除管理処理部ｍ６３１１が、その特定されたリンクの解除を行い、この状況をリンク設定解除管理情報記憶部ｄ６３１１に記憶する。リンク設定管理処理部ｍ６３０７によりリンク設定された後、リンク指示管理処理部ｍ６３１３は、次のリンク管理処理手段Ｍ６４にリンク指示信号を送る。なお、ここでの、リンク設定管理処理手段Ｍ６３に於けるリンク設定は、スタンバイ状態として、リンク管理処理手段Ｍ６４に知らせ、リンク管理処理手段Ｍ６４からのリンク指示を待つものとしてもよい。
【０２１１】
図３０は、リンク管理処理手段Ｍ６４とそのデータベースＤ６４の構成を示す構成図である。
【０２１２】
リンク指示管理処理部ｍ６３１３からのリンク管理処理手段Ｍ６４へのリンク指示信号を受けて、リンク指示受付管理処理部ｍ６４０１は、これを受付け、リンク指示受付管理情報記憶部ｄ６４０１に記憶する。リンク許可管理処理部ｍ６４０３は、リンク設定後の事業者のリンクを許可し、これをリンク許可管理情報記憶部ｄ６４０３に記憶する。これに伴ってリンクサービスが開始される。リンクタイム管理処理部ｍ６４０５は、リンク時間の設定、起算、積算を行い、これをリンクタイム管理情報記憶部ｄ６４０５に記憶する。
【０２１３】
広告管理処理部ｍ６４０７は、広告管理情報記憶部ｄ６４０７を参照して、懸賞提供情報を複数の顧客端末３０に懸賞情報メール出力Ｏ６００５を送出する。閲覧管理処理部ｍ６４０９は、顧客端末３０からの事業者サイト内での閲覧または懸賞提供情報問合せの利用を受付け、これを閲覧管理情報記憶部ｄ６４０９に記憶する。
【０２１４】
注文管理処理部ｍ６４１１は、顧客端末３０から受けた注文を注文管理情報記憶部ｄ６４１１に記憶し、商品送付を指令する商品送付出力Ｏ６００７を送信する。なお、顧客端末３０から受けた注文が不動産広告や求人広告等のサービスに関する問合せに該当する場合、注文管理処理部ｍ６４１１は、物件情報や面接日等の回答を商品送付出力Ｏ６００７として送信する。視聴管理処理部ｍ６４１３は、視聴サービスの要請を受けて、視聴出力指示出力Ｏ６００９を送信し、この状況を視聴管理情報記憶部ｄ６４１３に記憶する。なお、事業者サイトを管理するサーバとの交信により、これらの情報を取得することもできる。
【０２１５】
マーケティング管理処理部ｍ６４１５は、マーケティング管理情報記憶部ｄ６４１５と協働で、顧客端末３０に対するアンケートなどのマーケティング参加調査を行い、その結果をマーケティング集計結果出力Ｏ６０１１として送出する。懸賞ゲーム管理処理部ｍ６４１７は、懸賞用のゲームをこのシステムが設ける場合の懸賞用のゲームの管理を懸賞用のゲーム管理情報記憶部ｄ６４１７と協働で行う。景品管理処理部ｍ６４１９は、懸賞提供情報登録処理手段Ｍ６１で登録された景品の管理処理を総合的に司り、景品送付指示出力Ｏ６０１３を出すとともに、この状況を景品管理情報記憶部ｄ６４１９に記憶する。なお、事業者サイトを管理するサーバとの交信により、これらの情報を取得することもできる。
【０２１６】
リンク停止条件管理処理部ｍ６４２５は、リンク停止条件管理情報記憶部ｄ６４２５とともに、予め設定された条件であるリンク停止条件を、総合的に管理する。この実施形態においては、予め設定された条件の一部とされている設定時間経過は、リンクタイム管理処理部ｍ６４０５で、景品在庫の終了については、景品在庫管理処理部ｍ６１０７と景品在庫管理情報記憶部ｄ６１０７で行う。
【０２１７】
ページビュウのカウント数（ＰＶＣ）とバナーのクリックのカウント数（ＢＣＣ）については、ＰＶ・ＢＣ設定管理処理部ｍ６４２１でそれぞれのカウント数を設定し、ＰＶ・ＢＣ設定管理情報記憶部ｄ６４２１に記憶する。また、ＰＶ・ＢＣ積算管理処理部ｍ６４２３でこれらをカウントし積算して、ＰＶ・ＢＣ積算管理情報記憶部ｄ６４２３に記憶する。これらの予め設定された条件は、いずれか１つまたは複数の条件でもよい。なお、事業者サイトを管理するサーバとの交信により、ページビュウのカウント数（ＰＶＣ）とバナーのクリックのカウント数（ＢＣＣ）を取得することもできる。
【０２１８】
リンク停止条件は、上述した図６に基づき周期的にチェックされる。連続リンク管理処理部ｍ６４２７は、連続リンク管理情報記憶部ｄ６４２７と協働して再提供商品確認出力Ｏ６０１５を事業者端末１０に出す。リンク停止指示管理処理部ｍ６４２９は、リンク終了を確認し、リンク終了出力Ｏ６０１７を送出し、この状況をリンク停止指示管理情報記憶部ｄ６４２９に記憶する。
【０２１９】
リンク設定解除指示管理処理部ｍ６４３１は、リンク設定管理処理手段Ｍ６３にリンク設定解除指示を与え、リンク設定解除指示管理情報記憶部ｄ６４３１は、この状況を記憶する。リンク設定管理処理手段Ｍ６３のリンク設定解除管理処理部ｍ６３１１が、リンク設定を解除する。料金精算指示管理処理部ｍ６４３３は、料金精算指示管理情報記憶部ｄ６４３３と協働して、図３１の料金管理処理手段Ｍ６５に料金精算指示を与える。
【０２２０】
図３１は、料金管理処理手段Ｍ６５とそのデータベースＤ６５の構成を示す構成図である。
【０２２１】
料金精算指示管理処理部ｍ６４３３からの料金精算指示信号を料金精算指示受付管理処理部ｍ６５０１が受け、これを料金精算指示受付管理情報記憶部ｄ６５０１に記憶する。それぞれの利用料金は、その性格に応じて、次の各管理処理部で行われる。
【０２２２】
広告売上げ代金は、事業者別広告売上代金積算管理処理部ｍ６５０３で処理され、事業者別広告売上代金積算管理情報記憶部ｄ６５０３に記憶される。注文売上げ代金は、事業者別注文売上代金積算管理処理部ｍ６５０５で処理され、事業者別注文売上代金積算管理情報記憶部ｄ６５０５に記憶される。閲覧売上げ代金は、事業者別閲覧売上代金積算管理処理部ｍ６５０７で処理され、事業者別閲覧売上代金積算管理情報記憶部ｄ６５０７に記憶される。マーケティング利用代金は、事業者別マーケティング利用代金積算管理処理部ｍ６５０９で処理され、事業者別マーケティング利用代金積算管理情報記憶部ｄ６５０９に記憶される。
【０２２３】
各事業者サイトの売上げは、事業者別サイト売上合計管理処理部ｍ６５１１で処理され、事業者別サイト売上合計管理情報記憶部ｄ６５１１に記憶される。各事業者の利用料は、上記の該当する処理部と情報記憶部から事業者別利用料計算管理処理部ｍ６５１３で計算され、事業者別利用料計算管理情報記憶部ｄ６５１３に記憶される。各事業者の情報料は、上記の該当する処理部と情報記憶部から事業者別情報料計算管理処理部ｍ６５１５で計算され、事業者別情報料計算管理情報記憶部ｄ６５１５に記憶される。
【０２２４】
事業者別利用料・情報料請求管理処理部ｍ６５１７は、事業者別利用料・情報料請求出力Ｏ６０１９を該当する事業者端末１０宛に送出する。これは、事業者別利用料・情報料請求管理情報記憶部ｄ６５１７に記憶される。事業者別利用料・情報料入金管理処理部ｍ６５１９は、入金があった場合、事業者別利用料・情報料請求管理情報記憶部ｄ６５１７の記憶と対照し、その結果を、事業者別利用料・情報料入金管理情報記憶部ｄ６５１９に記憶する。情報料支払管理処理部ｍ６５２１は、提供者端末４０に情報料支払いを行い、その結果を情報料支払管理情報記憶部ｄ６５２１に記憶する。なお、上述した支払請求及び入金確認については、クレジットカード決済や電子マネー決済等の決済手段でも行うことができる。
【０２２５】
なお、本発明は、料金管理手段による事業者等に対する利用料の支払請求処理をリンクサービス終了後としたが、事業者が本システムを使用する時点において支払請求処理を行い、即時決済とする実施形態とすることもできる。さらに、上述した実施形態に限定されるものではなく、その要旨を逸脱しない範囲内で種々変形して実施することが可能である。
【産業上の利用可能性】
【０２２６】
以上のように、本発明による懸賞提供情報を利用したビジネス促進システム及びその方法は、販売促進によって、商品及びサービスの活用を活発化するのに有用である。
【図面の簡単な説明】
【０２２７】
【図１】本発明による第１実施形態のシステム構成図である。
【図２】図１の第１実施形態における管理サーバ内の顧客管理処理手段，懸賞提供情報登録処理手段とそれぞれのデータベースの構成を示す構成図である。
【図３】図１の第１実施形態における管理サーバ内のリンク設定管理処理手段とそのデータベースの構成を示す構成図である。
【図４】図１の第１実施形態における管理サーバ内のリンク管理処理手段とそのデータベースの構成を示す構成図である。
【図５】図１の第１実施形態における管理サーバ内の料金管理処理手段とそのデータベースの構成を示す構成図である。
【図６】図１の第１実施形態における懸賞受付窓口サイトへの再リンク手順を示すフローチャートである。
【図７】図１の第１実施形態における懸賞受付窓口サイト７０と事業者のサイト７４，７６，７８との概念図である。
【図８】本発明による第２実施形態のシステム構成図である。
【図９】図８の第２実施形態における管理サーバ内の顧客管理処理手段，懸賞購入管理処理手段とそれぞれのデータベースの構成を示す構成図である。
【図１０】図８の第２実施形態における管理サーバ内の懸賞提供情報登録処理手段とそのデータベースの構成を示す構成図である。
【図１１】図８の第２実施形態における管理サーバ内のリンク設定管理処理手段とそのデータベースの構成を示す構成図である。
【図１２】図８の第２実施形態における管理サーバ内のリンク管理処理手段とそのデータベースの構成を示す構成図である。
【図１３】図８の第２実施形態における管理サーバ内の料金管理処理手段とそのデータベースの構成を示す構成図である。
【図１４】本発明による第３実施形態のシステム構成図である。
【図１５】図１４の第３実施形態における管理サーバ内の顧客管理処理手段，利用料登録処理手段とそれぞれのデータベースの構成を示す構成図である。
【図１６】図１４の第３実施形態における管理サーバ内の懸賞購入管理処理手段とそのデータベースの構成を示す構成図である。
【図１７】図１４の第３実施形態における管理サーバ内の懸賞提供情報登録処理手段とそのデータベースの構成を示す構成図である。
【図１８】図１４の第３実施形態における管理サーバ内のリンク設定管理処理手段とそのデータベースの構成を示す構成図である。
【図１９】図１４の第３実施形態における管理サーバ内のリンク管理処理手段とそのデータベースの構成を示す構成図である。
【図２０】図１４の第３実施形態における管理サーバ内の料金管理処理手段とそのデータベースの構成を示す構成図である。
【図２１】本発明による第４実施形態のシステム構成図である。
【図２２】図２１の第４実施形態における管理サーバ内の顧客管理処理手段，懸賞提供情報登録処理手段とそれぞれのデータベースの構成を示す構成図である。
【図２３】図２１の第４実施形態における管理サーバ内のリンク設定管理処理手段とそのデータベースの構成を示す構成図である。
【図２４】図２１の第４実施形態における管理サーバ内のリンク管理処理手段とそのデータベースの構成を示す構成図である。
【図２５】図２１の第４実施形態における管理サーバ内の料金管理処理手段とそのデータベースの構成を示す構成図である。
【図２６】本発明による第５実施形態のシステム構成図である。
【図２７】図２６の第５実施形態における管理サーバ内の顧客管理処理手段，懸賞提供情報登録処理手段とそれぞれのデータベースの構成を示す構成図である。
【図２８】図２６の第５実施形態における管理サーバ内の懸賞参加管理処理手段とそのデータベースの構成を示す構成図である。
【図２９】図２６の第５実施形態における管理サーバ内のリンク設定管理処理手段とそのデータベースの構成を示す構成図である。
【図３０】図２６の第５実施形態における管理サーバ内のリンク管理処理手段とそのデータベースの構成を示す構成図である。
【図３１】図２６の第５実施形態における管理サーバ内の料金管理処理手段とそのデータベースの構成を示す構成図である。
【符号の説明】
【０２２８】
１０  事業者端末、２０  管理サーバ、３０  顧客端末、３１  顧客携帯端末、５０  ネットワーク、４０  提供者端末、Ｍ１０，Ｍ２０，Ｍ４０，Ｍ５０，Ｍ６０  顧客管理処理手段、Ｍ２１，Ｍ４２  懸賞購入管理処理手段、Ｍ４１  利用料登録処理手段、Ｍ６２  懸賞参加管理処理手段、Ｍ１１，Ｍ２２，Ｍ４３，Ｍ５１，Ｍ６１  懸賞提供情報登録処理手段、Ｍ１２，Ｍ２３，Ｍ４４，Ｍ５２，Ｍ６３  リンク設定管理処理手段、Ｍ１３，Ｍ２４，Ｍ４５，Ｍ５３，Ｍ６４  リンク管理処理手段、Ｍ１４，Ｍ２５，Ｍ４６，Ｍ５４，Ｍ６５  料金管理処理手段、Ｄ１０，Ｄ１１，Ｄ１２，Ｄ１３，Ｄ１４  データベース、Ｄ２０，Ｄ２１，Ｄ２２，Ｄ２３，Ｄ２４，Ｄ２５  データベース、Ｄ４０，Ｄ４１，Ｄ４２，Ｄ４３，Ｄ４４，Ｄ４５，Ｄ４６  データベース、Ｄ５０，Ｄ５１，Ｄ５２，Ｄ５３，Ｄ５４  データベース、Ｄ６０，Ｄ６１，Ｄ６２，Ｄ６３，Ｄ６４，Ｄ６５  データベース。
【図１】
2006185180.tif 000003
【図２】
2006185180.tif 000004
【図３】
2006185180.tif 000005
【図４】
2006185180.tif 000006
【図５】
2006185180.tif 000007
【図６】
2006185180.tif 000008
【図７】
2006185180.tif 000009
【図８】
2006185180.tif 000010
【図９】
2006185180.tif 000011
【図１０】
2006185180.tif 000012
【図１１】
2006185180.tif 000013
【図１２】
2006185180.tif 000014
【図１３】
2006185180.tif 000015
【図１４】
2006185180.tif 000016
【図１５】
2006185180.tif 000017
【図１６】
2006185180.tif 000018
【図１７】
2006185180.tif 000019
【図１８】
2006185180.tif 000020
【図１９】
2006185180.tif 000021
【図２０】
2006185180.tif 000022
【図２１】
2006185180.tif 000023
【図２２】
2006185180.tif 000024
【図２３】
2006185180.tif 000025
【図２４】
2006185180.tif 000026
【図２５】
2006185180.tif 000027
【図２６】
2006185180.tif 000028
【図２７】
2006185180.tif 000029
【図２８】
2006185180.tif 000030
【図２９】
2006185180.tif 000031
【図３０】
2006185180.tif 000032
【図３１】
2006185180.tif 000033